【事件の表示】
　特許第６６０１７４５号発明「照明器具」の特許異議申立事件について、次のとおり決定する。
【結　論】
　特許第６６０１７４５号の明細書，特許請求の範囲を訂正請求書に添付された訂正明細書，訂正特許請求の範囲のとおり，訂正後の請求項１について訂正することを認める。
　特許第６６０１７４５号の請求項１に係る特許を維持する。
【理　由】
第１．手続の経緯
　特許第６６０１７４５号の請求項１に係る特許についての出願は，平成２３年１月１１日に出願した特願２０１１−２９３５号の一部を平成２６年５月２９日に新たな出願とした特願２０１４−１１０９４３号の一部を平成２７年６月８日に新たな出願とした特願２０１５−１１５７３３号の一部を平成２８年５月３１日に新たな出願とした特願２０１６-１０８７６７号の一部をさらに平成２９年１２月１３日に新たな特許出願としたものであって，令和１年１０月１８日にその特許権の設定登録がされ，令和１年１１月６日に特許掲載公報が発行された。その後，その特許について，令和２年５月１日に特許異議申立人西村　太一，及び，特許異議申立人梯　京子により，それぞれ特許異議の申立てがされ，当審は，令和２年７月２１日付けで取消理由を通知した。特許権者は，その指定期間内である同年９月２８日付け意見書の提出及び訂正の請求を行い，その訂正の請求に対して，同年１１月１８日付けで特許異議申立人西村　太一，及び，特許異議申立人梯　京子により，それぞれ意見書の提出があったものである。
第２．訂正の適否
１．訂正の内容
　令和２年９月２８日付けの訂正請求（以下，「本件訂正請求」という。）による訂正の内容は以下の訂正事項１，２のとおりである（下線部は，訂正箇所を示し，当審で付与した。）。
（１）訂正事項１
　特許請求の範囲の請求項１の「複数の主光源としての発光色が複数色の発光素子及び発光色が電球色の常夜灯用の発光素子が実装された環状の基板と；前記発光素子を点灯制御する点灯装置と；略サークル状であって，前記主光源としての発光素子に対向するとともに，幅方向に形成された平坦部を有し，前記複数の主光源としての発光素子及び常夜灯用の発光素子が実装された環状の基板の表面を前面側から覆う絶縁性を有する拡散部材と；を具備することを特徴とする照明器具。」という記載を，「
略中心部分に天井に配置された引掛けシーリングボディに接続されるアダプタを備える本体と；
が昼白色である複数の発光素子と，主光源としての発光色が電球色である複数の
と，
と
し，対向する発光素子が出射した光を少なくとも幅方向に拡散する突条部を有する
当該突条部から前記
の全面
拡散性を備え，前記本体と，前記基板と，前記点灯装置と，前記拡散部材とを前記前面側から覆うカバー部材と；
（２）訂正事項２
　願書に添付した明細書の段落【０００８】の「本発明の実施形態による照明器具は，複数の主光源としての発光色が複数色の発光素子及び発光色が電球色の常夜灯用の発光素子が実装された環状の基板と；前記発光素子を点灯制御する点灯装置と；略サークル状であって，前記主光源としての発光素子に対向するとともに，幅方向に形成された平坦部を有し，前記複数の主光源としての発光素子及び常夜灯用の発光素子が実装された環状の基板の表面を前面側から覆う絶縁性を有する拡散部材と；を具備している。」を「本発明の実施形態による照明器具は
，略中心部分に天井に配置された引掛けシーリングボディに接続されるアダプタを備える本体と
が昼白色である複数の発光素子と，主光源としての発光色が電球色である複数の
と，
と
し，対向する発光素子が出射した光を少なくとも幅方向に拡散する突条部を有する
当該突条部から前記
の全面
拡散性を備え，前記本体と，前記基板と，前記点灯装置と，前記拡散部材とを前記前面側から覆うカバー部材と；
　　
２．訂正要件についての判断
（１）訂正事項１
ア．訂正の目的について
　上記訂正事項１は，請求項１の照明器具が具備する構成要素として，「略中心部分に天井に配置された引掛けシーリングボディに接続されるアダプタを備える本体と；」を追加するものである。
　訂正後の請求項１記載の発明では，照明器具が，略中心部分に天井に配置された引掛けシーリングボディに接続されるアダプタが配置されている本体を有する旨を明らかにすることで，特許請求の範囲を減縮しようとするものであるから，当該訂正事項１は，特許法第１２０条の５第２項ただし書第１号に規定する特許請求の範囲の減縮を目的とするものである。
　また，上記訂正事項１は，請求項１の「複数の主光源としての発光色が複数色の発光素子及び発光色が電球色の常夜灯用の発光素子が実装された環状の基板と；」とあるのを，「主光源としての発光色が昼白色である複数の発光素子と，主光源としての発光色が電球色である複数の発光素子と，発光色が電球色の常夜灯用の発光素子とが実装された環状の基板と；」へと訂正するものである。
　訂正後の請求項１記載の発明では，環状の基板に実装された発光素子が，主光源としての発光色が昼白色である複数の発光素子と，主光源としての発光色が電球色である複数の発光素子と，発光色が電球色の常夜灯用の発光素子とである旨を明らかにするものであるから，当該訂正事項１は，特許法第１２０条の５第２項ただし書第３号に規定する明瞭でない記載の釈明を目的とするものである。
　また，上記訂正事項１は，請求項１の「略サークル状であって，前記主光源としての発光素子に対向するとともに，幅方向に形成された平坦部を有し，前記複数の主光源としての発光素子及び常夜灯用の発光素子が実装された環状の基板の表面を前面側から覆う絶縁性を有する拡散部材と；」とあるのを，「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材と；」へと訂正するものである。
　訂正後の請求項１記載の発明では，主光源としての発光素子に対向し，対向する発光素子が出射した光を少なくとも幅方向に拡散する突条部と，突条部から幅方向に形成された平坦部とを拡散部材が有し，基板の表面の全面を前面側から覆う旨を限定することで，特許請求の範囲を減縮しようとするものであるから，当該訂正事項１は，特許法第１２０条の５第２項ただし書第１号に規定する特許請求の範囲の減縮を目的とするものである。
　また，上記訂正事項１は，請求項１の照明器具が具備する構成要素として，「拡散性を備え，前記本体と，前記基板と，前記点灯装置と，前記拡散部材とを前記前面側から覆うカバー部材と；」を追加するものである。
　訂正後の請求項１記載の発明では，照明器具が，拡散性を備え，本体と，基板と，点灯装置と，拡散部材とを前面側から覆うカバー部材を具備する旨を限定にすることで，特許請求の範囲を減縮しようとするものであるから，当該訂正事項１は，特許法第１２０条の５第２項ただし書第１号に規定する特許請求の範囲の減縮を目的とするものである。
イ．願書に添付した明細書，特許請求の範囲又は図面に記載した事項の範囲内においてした訂正であること
　上記訂正事項１は，願書に添付した明細書の発明の詳細な説明又は図面に基づいて導き出される構成である。
　例えば，段落【００１３】には，「また，器具取付面としての天井面Ｃに設置された引掛けシーリングボディＣｂに電気的かつ機械的に接続されるアダプタＡを備えている。」なる記載がされている。また，段落【００１４】には，「図２乃至図５に示すように，本体１は，冷間圧延鋼板等の金属材料の平板から円形状に形成されたシャーシであり，略中央部に，後述する取付部６を配設するための円形状の開口１１が形成されている。」なる記載がされている。また，例えば，段落【００３７】には，「取付部６は，略円筒状に形成されたアダプタガイドであり，このアダプタガイドの中央部にはアダプタＡが挿通し，係合する係合口６１が設けられている。このアダプタガイドは，本体１の中央部に形成された開口１１に対応して配設されている。」なる記載がある。また，図２〜図４からみて，本体１に，引掛けシーリングボディＣｂに電気的かつ機械的に接続されるアダプタＡが配置されている点が理解できる。このため，願書に添付した明細書又は図面からみて，略中心部分に天井に配置された引掛げシーリングボディに接続されるアダプタを備える本体を照明器具が具備することが理解できる。
　また，例えば，段落【００１８】には，「発光素子２２は，ＬＥＤであり，表面実装型のＬＥＤパッケージである。このＬＥＤパッケージが複数個サークル状の基板２１の周方向に沿って，つまり，取付部６を中心とする略円周上に複数列，本実施形態では，内周側及び外周側の２列に亘って実装されている。また，ＬＥＤパケージには，発光色が昼白色のものと電球色のものとが用いられており，これらが交互に並べられていて，各列の隣接する発光素子２２は略等間隔を空けて配設されている。」なる記載がある。また，段落【００１９】には，「なお，特定の基板２１（図３中，右側）には，常夜灯用の発光素子２２ａが実装されている。この発光素子２２ａには，サークル状に実装された主光源における電球色のものと同じＬＥＤパッケージが用いられている。これにより部材の共通化が図られている。」なる記載がある。また，図３，図６からみて，基板上に主光源としての発光素子２２と，常夜灯用の発光素子２２ａとが実装されていることが理解できる。このため，願書に添付した明細書又は図面からみて，主光源としての発光色が昼白色である複数の発光素子と，主光源としての発光色が電球色である複数の発光素子と，発光色が電球色の常夜灯用の発光素子とが，環状の基板に実装されていることが理解できる。
　また，段落【００２３】には，「拡散部材３は，レンズ部材であり，図７の参照を加えて説明するように，例えば，ポリカーボネートやアクリル樹脂等の絶縁性を有する透明合成樹脂からなり，強化絶縁性能を有している。」なる記載がある。また，段落【００２４】には，「また，レンズ部材は，図５及び図７に代表して示すように，略サークル状の内周側部分と外周側部分とに発光素子２２に対向して円周方向に２条の山形であって，断面形状が一定の突条部３１が連続して形成されている。」なる記載がある。また，段落【００２６】には，「このように構成されたレンズ部材によれば，図５に示すように複数の発光素子２２から出射された光は，突条部３１によって，主として円周上の内周方向及び外周方向に拡散されて放射される。すなわち，発光素子２２から出射された光は，発光素子２２が配置されたところのサークル状の中心を原点とする半径方向へ主として拡散して放射されるようになる。」なる記載がある。また，図４，図５，図７からみて，断面形状が山形の突条部３１が発光素子２２に対向しており，このような突条部３１により発光素子２２が出射した光が少なくとも幅方向（半径方向）に拡散されていることが理解できる。このため，願書に添付された明細書又は図面には，主光源としての発光素子に対向し，対向する発光素子が出射した光を少なくとも幅方向に拡散する突条部と，突条部から幅方向に形成された平坦部とを拡散部材が有することが記載されているといえる。
　また，段落【００２８】には，「また，拡散部材３には，平坦部３３が形成されて基板２１の全面を覆うようになっているので，充電部が強化絶縁性能を有する拡散部材３によって覆われ保護される。」なる記載がある。また，図３，図５，図７からみて，絶縁性を有する拡散部材３が環状の基板２１の表面の全面を覆っていることが理解できる。
　また，例えば，段落【００３９】には「カバー部材７は，アクリル樹脂等の透光性を有し，乳白色を呈する拡散性を備えた材料から略円形状に形成されており，中央部には不透光性の円形状の化粧カバー７１が取付けられている。」なる記載があり，段落【００４０】には，「そして，カバー部材７は，光源部２を含めた本体１の前面側を覆うように本体１の外周縁部に着脱可能に取付けられるようになっている。」なる記載がある。これらの記載や，図１，図２，図４，図５からみて，拡散性を備えるカバー部材７が，本体と，基板と，点灯装置と，拡散部材とを前面側から覆うように設けられる点が理解できる。
　このため，上記訂正事項１による訂正は，願書に添付した明細書，特許請求の範囲又は図面に記載した事項の範囲内においてした訂正であり，特許法第１２０条の５第９項で準用する第１２６条第５項の規定に適合するものである。
ウ．実質上特許請求の範囲を拡張し，又は変更する訂正ではないこと
　上記ア.の理由から明らかなように，上記訂正事項１は，カテゴリーや対象，目的を変更するものではないから，実質上特許請求の範囲を拡張し，又は変更するものには該当せず，特許法第１２０条の５第９項で準用する第１２６条第６項の規定に適合するものである。
（２）訂正事項２
ア．訂正の目的について
　上記訂正事項２は，訂正前の明細書の段落【０００８】に記載された課題を解決するための手段を，訂正事項１に係る訂正後の請求項１の記載にあわせて訂正するものである。
　したがって，訂正事項２は，特許法第１２０条の５第２項ただし書第３号に規定する明瞭でない記載の釈明を目的とするものである。
イ．願書に添付した明細書，特許請求の範囲又は図面に記載した事項の範囲内においてした訂正であること
　訂正事項２は，訂正前の明細書の段落【０００８】の記載を，訂正後の請求項１の記載にあわせるものである。
　このため，訂正事項２の訂正は，上記（１）イ．と同様の理由により，願書に添付した明細書，特許請求の範囲又は図面に記載した事項の範囲内においてした訂正であり，特許法第１２０条の５第９項で準用する第１２６条第５項の規定に適合するものである。
ウ．実質上特許請求の範囲を拡張し，又は変更する訂正ではないこと
　上述したように，訂正事項２は，訂正後の請求項１と同様の訂正を，明細書の段落【０００８】に対しても行うことで，訂正後の請求項１の記載と，明細書の記載とをあわせたものである。
　そうすると，訂正事項２による訂正は，上記（１）ウ．と同様の理由により，実質上特許請求の範囲を拡張し，又は変更するものには該当せず，特許法第１２０条の５第９項で準用する第１２６条第６項の規定に適合するものである。
（３）小括
　以上のとおりであるから，本件訂正請求による訂正は，特許法第１２０条の５第２項ただし書第１号及び第３号に掲げる事項を目的とするものであり，かつ，同条第９項において準用する同法第１２６条第５項及び第６項の規定に適合する。
　したがって，明細書，特許請求の範囲を訂正請求書に添付された訂正明細書，訂正特許請求の範囲のとおり，訂正後の請求項１について訂正することを認める。
第３．訂正後の本件発明
　本件訂正請求により訂正された請求項１に係る発明（以下，「本件発明」という。）は，その訂正特許請求の範囲の請求項１に記載された次の事項により特定されるとおりのものである。
「【請求項１】
　略中心部分に天井に配置された引掛けシーリングボディに接続されるアダプタを備える本体と；
　主光源としての発光色が昼白色である複数の発光素子と，主光源としての発光色が電球色である複数の発光素子と，発光色が電球色の常夜灯用の発光素子とが実装された環状の基板と；
　前記発光素子を点灯制御する点灯装置と；
　略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材と；
　拡散性を備え，前記本体と，前記基板と，前記点灯装置と，前記拡散部材とを前記前面側から覆うカバー部材と；
　を具備することを特徴とする照明器具。」
第４．取消理由通知に記載した取消理由について
１．取消理由の概要
　訂正前の請求項１に係る特許に対して，当審が令和２年７月２１日付けで特許権者に通知した取消理由の要旨は，次のとおりである。
「１）（明確性）本件特許は，特許請求の範囲の記載が下記の点で，特許法第３６条第６項第２号に規定する要件を満たしていないから，請求項１に係る特許は，特許法第３６条第６項第２号の規定に違反してされたものである
２）（新規事項） 平成３０年１２月１０日付け手続補正書でした補正，及び，平成３１年４月２５日付け手続補正書でした補正は，下記の点で願書に最初に添付した明細書，特許請求の範囲又は図面に記載した事項の範囲内においてしたものではなく，特許法第１７条の２第３項に規定する要件を満たしていないから，請求項１に係る特許は，特許法第１７条の２第３項の規定に違反してされたものである
３）（進歩性）請求項１に係る発明は，本件特許出願前に日本国内又は外国において，頒布された下記の刊行物に記載された発明又は電気通信回線を通じて公衆に利用可能となった発明に基いて，本件特許出願前にその発明の属する技術の分野における通常の知識を有する者が容易に発明をすることができたものであるから，請求項１に係る特許は，特許法第２９条第２項の規定に違反してされたものである。
　　　　　　　　　　　　　　　　記
＜理由１＞
　請求項１の「複数の主光源としての発光色が複数の発光色の発光素子」という記載は，１つの発光素子が複数色を発光するものであって，その発光素子が複数個，基板に実装されているものなのか，それとも，それぞれ単色に発光する１つの発光素子が複数個，主光源の発光素子として基板に実装されているのかが，明確でない。
＜理由２＞
１．「複数の主光源としての発光色が複数色の発光素子」について
（１）平成３０年１２月１０日付けの手続補正書について
　当該手続補正書により，本件出願当初の請求項１における「複数の主光源としての発光素子及び常夜灯用の発光素子」が「複数の主光源としての発光色が複数色の発光素子及び発光色が電球色の常夜灯用の発光素子」と補正された。
　「複数の主光源としての発光色が複数色の発光素子」とは，次の二つの発明特定事項を包含するものと解される。
（ア）一つの発光素子（ＬＥＤ乃至ＬＥＤパッケージ）が複数色を発光するものであって，その発光素子が複数個，基板に実装されて主光源として構成されているもの。
（イ）それぞれ単色に発光する一つの発光素子が複数個，主光源の発光素子として基板に実装されているもの。
　願書に最初に添付した明細書（以下，「当初明細書」という。）には，「発光素子２２は，ＬＥＤであり，表面実装型のＬＥＤパッケージである。このＬＥＤパッケージが複数個サークル状の基板２１の周方向に沿って，つまり，取付部６を中心とする略円周上に複数列，本実施形態では，内周側及び外周側の２列に亘って実装されている。また，ＬＥＤパケージには，発光色が昼白色のものと電球色のものとが用いられており，これらが交互に並べられていて，各列の隣接する
発光素子２２は略等間隔を空けて配設されている。この昼白色と電球色のＬＥＤパッケージに流れる電流等を調整することにより調色が可能となっている。」（段落【００１８】）（下線部は，当審が付与。」）と記載されている。
　つまり，願書に最初に添付された明細書，特許請求の範囲及び図面の記載（以下，「当初明細書等」という。）から把握されるものは，電球色のＬＥＤ（ＬＥＤパッケージ）と昼白色のＬＥＤ（ＬＥＤパッケージ）というそれぞれ単色を発光する発光素子を組み合わせることによって，全体として発光色が複数色の発光素子を意味する（上記（イ））のであって，一つの発光素子が複数色を発光可能なもの（上記（ア））を包含するものではない。
　当該補正書の請求項１に係る発明は，上記（ア）（イ）のいずれをも包含するものと解され，上記（ア）の場合をも包含することになり，異なる概念への補正であるから，新規事項を追加するものである。
　したがって，上記平成３０年１２月１０日付け手続補正書による補正は，当初明細書等の範囲内においてしたものではない補正であるから，当該補正は，特許法第１７条の２第３項の規定に違反するものである。
（２）平成３１年４月２５日付けの手続補正書について
　上記「複数の主光源としての発光色が複数色の発光素子」については，当該手続補正書によっても補正されていないので，上記１．と同様に，上記平成３１年４月２５日付け手続補正書による補正は，当初明細書等の範囲内においてしたものではない補正であるから，当該補正は，新規事項を追加するものであって特許法第１７条の２第３項の規定に違反するものである。
２．「拡散部」が削除されたことについて
（１）平成３１年４月２５日付けの手続補正書について
　平成３１年４月２５日付けの手続補正書による補正により，請求項１に係る発明から「拡散部」が削除された。
　そして，当初明細書等を参照すると，「拡散部材」は，「突条部」があってはじめて発光素子２２から出射された光による照射光の均斉度を向上することが可能となるものであるが，請求項１に係る発明から，突条部に対応する「拡散部」が削除され，拡散部材が「略サークル状であって，前記主光源としての発光素子に対向するとともに，幅方向に形成された平坦部を有し，前記複数の主光源としての発光素子及び常夜灯用の発光素子が実装された環状の基板の表面を前面側から覆う絶縁性を有する」とされたことは，拡散部のない拡散部材を含有することを含むものである。
　当初明細書等において，「拡散部」は実質的に突条部に対応する部材であるから，上記手続補正書において，「拡散部」を削除する補正は，拡散部材における「突条部」を削除するという上位概念化に相当する補正であって，この補正により，本件発明は，「突条部」を必要としない拡散部材であっても，本件発明において「均斉度を向上できる」という作用効果を奏するとすれば，新たな技術上の意義が追加されたこととなることは明らかである。
　当初明細書等において，「幅方向」について，請求項１，段落【０００８】のほか，段落【００２５】に「さらに，これら突条部３１からは幅方向に延出する平坦部３３が形成されており，これにより基板２１の全面が覆われるようになっている。」（下線部は当審が付与した。）との記載があるのみであって，上記記載より，平坦部には突条部から幅方向に延出する平坦部が形成されていることになる。すなわち，平坦部は，突状部を有する拡散部材を前提としたものであり，突状部を有することが限定されていない拡散部材の幅方向に延出する平坦部を形成することは，当初明細書等に全く開示されていない。
　してみれば，当該補正は当初明細書等に記載した事項の範囲内においてしたものではない。
　したがって，上記平成３１年４月２５日付け手続補正書による補正は，特許法第１７条の２第３項の規定に違反するものである。
＜理由３＞
１．刊行物等
引用文献１：特開２００２−３６７４０６号公報（特許異議申立人：西村太一が提出した甲第８号証，特許異議申立人：梯　京子が提出した甲第７号証）
引用文献２：特開２００４−３２２８６０号公報（特許異議申立人：西村太一が提出した甲第６号証，特許異議申立人：梯　京子が提出した甲第５号証）
引用文献３：「ＨＯＭＥ　ＬＩＧＨＴＩＮＧ　２０１０−２０１１　住宅照明（Ｆ１３）」，東芝ライテック株式会社，２０１０年５月（特許異議申立人：梯　京子が提出した甲第１０号証の１）
引用文献４「ＬＥＤ　Ｌｉｇｈｔｉｎｇ　Ｖｏｌ．８」東芝ライテック株式会社，平成２２年１０月（特許異議申立人：梯　京子が提出した甲第１０号証の２）
引用文献５：中国特許出願公開第１０１６３９１９６号明細書（特許異議申立人：梯　京子が提出した甲第９号証の１）」
２．引用文献の記載
（１）引用文献１
・「【請求項１】 リング状発光源と，ほぼ半円形の断面形状をしたリング状拡散板とを有し，
前記リング状発光源はリング状に配列した複数個のＬＥＤを備えており，
前記
リング状拡散板は，その湾曲状内周面に前記リング状発光源からの光が直接に照射するように配置されていることを特徴とするリング状ＬＥＤ照明装置
・「【請求項５】 請求項１ないし４のうちのいずれかの項において，前記リング状拡散板は乳白色をしたアクリル樹脂成形品であることを特徴とするリング状ＬＥＤ照明装置。」
・「【０００１】【発明の属する技術分野】本発明は，画像処理装置などにおける対象物を照明するためのリング状ＬＥＤ照明装置に関するものである。」
・「【０００５】これに対して，環状に配置したＬＥＤからなる照明の場合には，寿命が長く，メンテナンスフリーであり，耐震性が高く，壊れにくく，しかも，ＬＥＤの配列を工夫することで蛍光管のような暗部の発生を回避できるという利点がある。さらには，対象物に合わせて，ＬＥＤの発光色（Ｒ，Ｇ，Ｂ，Ｗ）を選択でき，最適な波長で対象物に光を照射できるという利点がある。これに加えて，ＬＥＤの光は単波長であり指向性が高く，対象物に対して，局所的に光を
照射できるという利点もある。」
・「【００１０】
【課題を解決するための手段】上記の課題を解決するために，本発明のリング状ＬＥＤ照明装置は，リング状発光源と，ほぼ半円形の断面形状をしたリング状拡散板とを有し，前記リング状発光源はリング状に配列した複数個のＬＥＤとを備えており，
前記リング状拡散板は，その湾曲状内周面に前記リング状発光源からの光が直接に照射するように配置されていることを特徴としている。
・「【００１２】ここで，前記
リング状発光源はリング状ＬＥＤ基板を備え，このリング状ＬＥＤ基板の表面に，
ＬＥＤが所定の間隔で，半径方向および円周方向に配列され
・「【００１４】本発明において，前記リング状拡散板を乳白色をしたアクリル樹脂成形品とすることができる。また，前記リング状本体板をアルミニウム製とすることができる。
【００１５】【発明の実施の形態】以下に，図面を参照して本発明を適用したリング状ＬＥＤ照明装置の実施例を説明する。
【００１６】図１は本例のリング状ＬＥＤ照明装置の側面図および正面図である。この図に示すように，本例の
リング状ＬＥＤ照明装置１は，リング状本体板２と，ここに取り付けられたリング状拡散板３とを有し，リング状本体板２の外周面からは給電用ケーブル４が引き出されている。
リング状拡散板３は
アクリル樹脂成形品である。
【００１７】図２はリング状ＬＥＤ照明装置１のＡ−Ａ’線で切断した部分の断面図である。この図から分かるように
，リング状本体板２は，リング状端板部分２１と，この表面２２の内外周縁から僅かに内側に入った位置から垂直に起立している内周側板部分２３および外周側板部分２４とを備え
これら側板部分２３，２４の間の表面２２の部分にリング状ＬＥＤ基板５が密着状態で取り付けられており，このリング状ＬＥＤ基板５の表面に多数個のＬＥＤ６が実装されている。
・「【００１９】本例では，リング状内カバー８の先端には半径方向の外方に僅かに突出したリング状フランジ８１が形成されており，リング状外フランジ９の先端にも半径方向の内方に僅かに突出したリング状フランジ９１が形成されている。
リング状拡散板３の内周縁部分３１および外周縁部分３２は，それぞれ，内周側板部分２３の先端面２３ａとリング状フランジ８１の間，および，外周側板部分２４の先端面２４ａとリング状フランジ９１の間に挟み込まれ，これによって，リング状拡散板３がリング状本体板２の側に取り付け固定され
【００２０】なお，リング状拡散板をリング状本体板２に取り付ける構造もねじ込み式とすることも可能である。
【００２１】図３は，リング状拡散板３を示す平面図，側面図および断面図である。本例のリング状拡散板３は，円筒断面の管を半割り状態にした断面形状をしている。すなわち，ほぼ半円形の断面形状をしている。この形状のリング状拡散板３は，例えば，半透明の乳白色のアクリル平板を真空成形することにより得ることができ，この場合には，約１００℃の耐熱性が得られる。また，リング状拡散板３の湾曲内周面３３には表面処理を施して粗面として拡散効果を高めることが望ましい。
【００２２】次に，図４はリング状ＬＥＤ基板５に実装されたＬＥＤ６の配列状態を示す説明図である。この図に示すように，多数個のＬＥＤ６が円周方向に向けて同心円状に一定の間隔で密な状態で３列形成されている。図において最も外側の列は回路抵抗８の列である。このようにＬＥＤ６を配列することにより，リング状拡散板３のリング状内周面３３の全体にＬＥＤからの出射光を均一に照射できるので，部分的に暗部が発生することがない。」
・「【００２４】このように構成した本例のリング状ＬＥＤ照明装置１では，図５（ａ）に示すように，
半円形断面のリング状拡散板３の内周面３３に隙間無く密に配列されている複数個のＬＥＤ６からの光が直接照射す
リング状拡散板３によって各ＬＥＤの光の輝度むらが補間されると共に，拡散板そのものを発光体の状態とすることができ
この発光体は
半円形の外周曲面を備えているので，照明方向
の全方向に対して均一に光を放射することができる。」
・「【００２８】【発明の効果】以上説明したように，本発明のリング状ＬＥＤ照明装置では，従来のリング状ＬＥＤ照明装置の欠点を解消して，照明領域を均一にむらなく全体的に照明することができ，また，ＬＥＤの発熱を効率良く外部に放出できるのでＬＥＤの照度変動を抑制することができる。また，全体として従来に比べて廉価な照明装置を実現できる。」
・図１〜図５には，以下の内容が図示されている。
　
・段落【００１７】の下線部の記載事項と， 図２，図５（ｂ）の図示内容からみて，
ＬＥＤ６に対向するとともに，複数のＬＥＤ６が実装されたリング状ＬＥＤ基板５を下側から覆うリング状拡散板３
　これらの記載事項及び図示内容からみて，引用文献１には，以下の発明（以下，「引用発明」という。）が記載されていると認められる。　
「リング状ＬＥＤ照明装置１は，リング状本体板２と，ここに取り付けられたリング状拡散板３とを有し，リング状本体板２の外周面からは給電用ケーブル４が引き出されており，
　リング状発光源はリング状ＬＥＤ基板５を備え，このリング状ＬＥＤ基板５の表面に，ＬＥＤ６が所定の間隔で，半径方向および円周方向に配列され，
　リング状本体板２は，リング状端板部分２１と，この表面２２の内外周縁から僅かに内側に入った位置から垂直に起立している内周側板部分２３および外周側板部分２４とを備え，これら側板部分２３，２４の間のこの表面２２の部分にリング状ＬＥＤ基板５が密着状態で取り付けられており，このリング状ＬＥＤ基板５の表面に多数個のＬＥＤ６が実装され，
　リング状拡散板３の内周縁部分３１および外周縁部分３２は，それぞれ，内周側板部分２３の先端面２３ａとリング状フランジ８１の間，および，外周側板部分２４の先端面２４ａとリング状フランジ９１の間に挟み込まれ，これによって，リング状拡散板３がリング状本体板２の側に取り付け固定され，
　リング状拡散板３は，アクリル樹脂成形品であり，
　半円形断面のリング状拡散板３の内周面３３に配列されている複数個のＬＥＤ６からの光が直接照射し，リング状拡散板３によって各ＬＥＤの光の輝度むらが補間されると共に，拡散板そのものを発光体の状態とすることができ，この発光体は半円形の外周曲面を備えているので，照明方向の全方向に対して均一に光を放射することができ，
　ＬＥＤ６に対向するとともに，複数のＬＥＤ６が実装されたリング状ＬＥＤ基板５を下側から覆うリング状拡散板３と，
　を有しているリング状ＬＥＤ照明装置１。」
（２）引用文献２
・「【０００１】
【発明の属する技術分野】
この発明は，ＬＥＤ（発光ダイオード）を光源とする車両用室内灯に関する。」
・「【００１２】
このため，請求項１記載の発明では，室内の
照明は，
複数個の室内灯ＬＥＤの点灯により充分な照度を確保することができる。
少なくとも１個の常夜灯ＬＥＤの点灯により，室内の照明よりも充分に照度を低下させた常夜灯としての照明を確保することができる
【００１３】
また，室内灯ＬＥＤと常夜灯ＬＥＤは，相互に異なる発光色のＬＥＤで構成したので，室内灯と常夜灯の切替は，発光色の相違に付随する室内雰囲気の変化を伴って行われる。
【００１４】
また，請求項２記載の発明は，請求項１記載のＬＥＤを光源とする車両用室内灯であって，
前記室内灯ＬＥＤは，白色発光のＬＥＤで構成されており，かつ常夜灯ＬＥＤは，アンバー色発光のＬＥＤで構成されている
【００１５】
このため，請求項２記載の発明では，室内灯ＬＥＤの発光は，高色温度（白色）となるので，照明機能を充分に奏することができると共に，常夜灯ＬＥＤの発光は，低色温度（アンバー色）となるので，落ち着きのある室内雰囲気を演出することができる。」
・「【００２０】
このときＬＥＤ１２は，室内灯機能部Ａを構成する複数個の室内灯ＬＥＤ１２ａと，この室内灯機能部Ａよりも低照度で異なる発光色で発光する常夜灯機能部Ｂを構成する少なくとも１個の常夜灯ＬＥＤ１２ｂとを有して構成されている。
【００２１】
本実施形態では，ＬＥＤ１２は，１個の常夜灯機能部Ｂを構成する１個の常夜灯ＬＥＤ１２ｂと，この常夜灯機能部Ｂの両側に配置される２個の室内灯機能部Ａを構成する１６個の室内灯ＬＥＤ１２ａとから構成されている。そしてこれら１７個のＬＥＤ１２ａ，１２ｂは，ランプハウジング２の一側壁の長さ及び高さと略同等の長さ及び幅を有する回路基板１３に，長さ方向に沿って１列に配設されると共に，ＬＥＤ１２の発光部をランプハウジング２の内方へ向けて，ランプハウジング２の側壁の内面に沿って設けられている。」
・「【００３３】
そして，
点灯回路２０
図１，図２には，以下の内容が示されている。
（３）引用文献３ 
・第７２頁上段から中段には，
照明器具（スリムNext DigiLx)について，主光源としてのランプ（発光素子）が点灯する状態と，電球色の常夜灯（ＬＥＤ常夜灯）が６段階調光される
・第７４頁中段には「６段階常夜灯調光」と題して，主光源発光素子が消灯状態で，電球色の常夜灯のあかるさが６段階調光できることが記載されている。
・第５３８頁右下欄には，
ＬＥＤ常夜灯には
電球色相当であること
（４）引用文献４
・第５５頁左上段には，「おめざめ設定，おやすみ設定」と題して，「「おやすみ設定」機能は，設定時間の約10分前から徐々に電球色に変化しながら暗くなり，約５分前から眠りを誘う電球色で暗くなっていき消灯または常夜灯へ。・・・
「おめざめ設定」機能は，設定前の30分前から点灯を始め，約15分間はめざめを促す
白色で徐々に明るくなり，設定時間には，設定しておいた明るさ・光色まで明るくなります
・第２１０頁右欄には「
LED電球常夜灯
いずれも電球色であること
（５）引用文献５（特許異議申立人：梯　京子が提出した甲第９号証の１の翻訳文である甲９号証の２を示す。括弧内に甲第９号証の１の対応箇所を示す。）
・「発明の概要　　
本発明の主な目的は，
発光ダイオードの発光輝度の均一性と色彩の均一性を改善し
発光ダイオードのレンズと照明装置を提供すること
・「
光学レンズは，
PMMA/PC材料
空の柱体は内面がレンズの入光面であり，外面がレンズの出光面である。」（甲第９号証の１の５ページ２〜７行に対応）
・「
図５に示されたのは，本発明の同一型ハーフレンズの多点多アレイ組み合わせ光源の構造複式図
図４に示された同一型ハーフレンズアレイ組み合わせ構造を使用して，平面光源とする。
　図６は，本発明のハーフレンズの光経路模式図であり，光源中心から出射された光が直接にレンズに入り，そして屈折し，空気中に入る。光学レンズのすべての光線は，屈折出光を基本要求とする同時に，光強度有効分布を満たして，光源システムの変換率を最大化し，光源輝度と色彩の均一性要求を実現するようにする。
　図７は，図１に示すハーフレンズの光強度の分布模式図であり，図に示すように，光源がレンズを経由してから単方向における光強度の分布が均一に調整可能であり，多アレイを組み合わせる際，全体として均一的に調整するよう実現でき，システムの光源の変換効率も向上された。光源軸を通り且つ柱体高さに垂直する平面において，光強度が120度で分布され，且つ外側の光が，中心光の強度よりも強い。光源軸線を通り且つ柱体高さに平行する平面において，光強度が60度で分布される。」（甲第９号証の１の６ページ下から３行〜９行に対応）
・「本発明に開示された発光ダイオードの二次レンズでは，光源の変換効率が85％以上，製品輝度の均一性と色彩の均一性が80％以上達成でき，光源の使用数を最低限まで下げられ，最大限に電力消耗を節約する。レンズが精密押出で制作されるので，製品アレイの規格を柔軟に設計でき，製品を実現し易い。
　本発明は，設計上，
光強度の均一性の調整を行い，
レンズ自体がレンズの機能のみならず，外観保護部材としても役割を果す。
・図４から図７には，以下の内容が示されている。
・上記記載事項と図４，図５からみて，複数列に配列された発光ダイオード（発光素子）を列毎に覆うようなハーフレンズ(突条部）が設けられ，そのハーフレンズ(突条部）に沿った方向に平坦部を有するとともに，発光ダイオード（発光素子）が実装された基板の表面の全面を前面側から覆うPMMA/PC材料（絶縁性を有する）のハーフレンズと平坦部からなる同一型ハーフレンズアレイ組み合わせ構造（拡散部材）が理解できる。
３．当審の判断
（１）特許法第３６条第６項第２号について
　訂正後の請求項１においては，「主光源としての発光色が昼白色である複数の発光素子と，主光源としての発光色が電球色である複数の発光素子と，発光色が電球色の常夜灯用の発光素子とが実装された環状の基板」とされ，それぞれ単色に発光する発光素子が複数個，主光源の発光素子として基板に実装されていることが明確になった。
　したがって，訂正後の請求項１の記載は，明確であり，特許法第３６条第６項第２号の要件を満たす。
（２）特許法第１７条の２第３項について
ア．発光素子の記載について
　上記（１）で述べたように，訂正後の請求項１においては，「主光源としての発光色が昼白色である複数の発光素子と，主光源としての発光色が電球色である複数の発光素子と，発光色が電球色の常夜灯用の発光素子とが実装された環状の基板」(以下，「構成Ａ」という。）とされ，それぞれ単色に発光する発光素子が複数個，主光源の発光素子として基板に実装されていることが明確になり，１つの発光素子が複数色を発光するものであって，その発光素子が複数個，基板に実装されて主光源として構成されているものではないことが明らかとなった。
　そして，願書に最初に添付した明細書の段落【００１８】,【００１９】には
「【００１８】
　発光素子２２は，ＬＥＤであり，表面実装型のＬＥＤパッケージである。このＬＥＤパッケージが複数個サークル状の基板２１の周方向に沿って，つまり，取付部６を中心とする略円周上に複数列，本実施形態では，内周側及び外周側の２列に亘って実装されている。また，ＬＥＤパケージには，発光色が昼白色のものと電球色のものとが用いられており，これらが交互に並べられていて，各列の隣接する発光素子２２は略等間隔を空けて配設されている。この昼白色と電球色のＬＥＤパッケージに流れる電流等を調整することにより調色が可能となっている。
【００１９】
　なお，特定の基板２１（図３中，右側）には，常夜灯用の発光素子２２ａが実装されている。この発光素子２２ａには，サークル状に実装された主光源における電球色のものと同じＬＥＤパッケージが用いられている。これにより部材の共通化が図られている。」
と記載されているから，願書に最初に添付された明細書には「主光源としての発光色が昼白色である複数の発光素子と，主光源としての発光色が電球色である複数の発光素子と，発光色が電球色の常夜灯用の発光素子とが実装された環状の基板」が記載されている。
　そうすると，訂正後の請求項１の上記構成Ａの記載は，特許法第１７条の２第３項の規定する要件を満たすものである。
イ．拡散部材について
　訂正後の請求項１では，拡散部材について，「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材」（以下，「構成Ｂ」という。）され，平坦部は，突状部を有する拡散部材を前提としたものであることが明確になり，突状部を有することが限定されていない拡散部材の幅方向に延出する平坦部を形成するものではないことが明らかになった。
　一方，願書に最初に添付された明細書の段落【００２３】〜【００２６】の
「【００２３】
　拡散部材３は，レンズ部材であり，図７の参照を加えて説明するように，例えば，ポリカーボネートやアクリル樹脂等の絶縁性を有する透明合成樹脂からなり，強化絶縁性能を有している。そして，前記発光素子２２の配置に沿って略サークル状に一体的に形成されていて，発光素子２２を含めて基板２１の全面を覆うように配設されている。
　【００２４】
　また，レンズ部材は，図５及び図７に代表して示すように，略サークル状の内周側部分と外周側部分とに発光素子２２に対向して円周方向に２条の山形であって，断面形状が一定の突条部３１が連続して形成されている。この突条部３１の内側には，Ｕ字状の溝３２が円周方向に沿って連続して形成されている。したがって，Ｕ字状の溝３２は，複数の発光素子２２と対向して配置されるようになっており，複数の発光素子２２は，Ｕ字状の溝３２内に収められて覆われている状態となっている。
　【００２５】
　さらに，これら突条部３１からは幅方向に延出する平坦部３３が形成されており，これにより基板２１の全面が覆われるようになっている。
　【００２６】
　このように構成されたレンズ部材によれば，図５に示すように複数の発光素子２２から出射された光は，突条部３１によって，主として円周上の内周方向及び外周方向に拡散されて放射される。すなわち，発光素子２２から出射された光は，発光素子２２が配置されたところのサークル状の中心を原点とする半径方向へ主として拡散して放射されるようになる。」という記載及び段落【００２８】の
「【００２８】
　また，拡散部材３には，平坦部３３が形成されて基板２１の全面を覆うようになっているので，充電部が強化絶縁性能を有する拡散部材３によって覆われ保護される。」なる記載及び図３〜図５，図７からみて，構成Ｂが,願書の最初に添付された明細書及び図面に記載されていることは明らかである。
　そうすると，訂正後の請求項１の上記構成Ｂの記載は，特許法第１７条の２第３項の規定する要件を満たすものである。
ウ．小括
　訂正後の請求項１の記載は，特許法第１７条の２第３項の要件を満たすものである。
（３）特許法第２９条第２項について
ア．発明の対比
（ア）引用発明の「リング状拡散板３」が本件発明の「拡散部材」に相当するとした場合。
ａ．本件発明と引用発明と対比すると，後者の「リング状本体板２」は前者の「本体」に相当し，以下同様に，「ＬＥＤ６」は「発光素子」に，「リング状発光源」の「多数個のＬＥＤ６」又は「複数個のＬＥＤ６」は「主光源としての」「複数の発光素子」に，「リング状ＬＥＤ基板５」は「環状の基板」に，「リング状拡散板３」は「略サークル状」の「拡散部材」に，「アクリル樹脂成形品」は「絶縁性を有する」部材に，「リング状ＬＥＤ照明装置１」は「照明器具」に，それぞれ相当する。
ｂ．後者は「リング状ＬＥＤ基板５の表面に多数個のＬＥＤ６が実装され」ているから，後者の「リング状ＬＥＤ基板５」と，前者の「主光源としての発光色が昼白色である複数の発光素子と，主光源としての発光色が電球色である複数の発光素子と，発光色が電球色の常夜灯用の発光素子とが実装された環状の基板」とは，「主光源としての複数の発光素子が実装された環状の基板」において共通する。
ｃ．後者の「リング状拡散板３」は「ＬＥＤ６に対向するとともに，」「半円形断面」と「内周縁部分３１および外周縁部分３２」とを有するところ，図５ａを参照すると該「半円形断面」は「光を少なくとも幅方向に拡散する突条部」といえ，該「内周縁部分３１および外周縁部分３２」は図２等を参照すると「突条部から幅方向に形成された平坦部」といえるものであるから，前者の「略サークル状であって，前記主光源としての発光素子に対向し，対向する発光素子が出射した光を少なくとも幅方向に拡散する突条部を有するとともに，当該突条部から前記幅方向に形成された平坦部を有」する「拡散部材」に相当する。
　後者の「リング状拡散板３」は「アクリル樹脂成形品であり，」「複数のＬＥＤ６が実装されたリング状ＬＥＤ基板５を下側から覆う」から，前者の「前記複数の主光源としての発光素子及び常夜灯用の発光素子が実装された環状の基板の表面の全面を前面側から覆う絶縁性を有する拡散部材」とは，「前記複数の主光源としての発光素子が実装された環状の基板を前面側から覆う絶縁性を有する拡散部材」において共通する。
ｄ．そうすると，両者は，
「本体と，
　主光源としての複数の発光素子が実装された環状の基板と，
　略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子が実装された環状の基板を前面側から覆う絶縁性を有する拡散部材と，
を具備する照明器具。」
の点で一致し，以下の各点で相違する。
＜相違点１＞
　本体に関して，本件発明では，「略中心部分に天井に配置された引掛けシーリングボディに接続されるアダプタを備える本体」であるのに対して，引用発明では「リング状本体板２」である点。
＜相違点２＞
　環状の基板に実装される発光素子に関して，本件発明では，「主光源としての発光色が昼白色である複数の発光素子と，主光源としての発光色が電球色である複数の発光素子と，発光色が電球色の常夜灯用の発光素子」であるのに対して，引用発明では，「リング状発光源」の「多数個のＬＥＤ６」（主光源としての複数の発光素子）である点。
＜相違点３＞
　本件発明では，「前記発光素子を点灯制御する点灯装置」「を具備する」のに対して，引用発明では，「リング状ＬＥＤ照明装置１は，リング状本体板２と，ここに取り付けられたリング状拡散板３とを有し，リング状本体板２の外周面からは給電用ケーブル４が引き出されて」いるものの，それ以上の特定はなされていない点。
＜相違点４＞
　本件発明では，拡散部材が，「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する」のに対して，引用発明では，リング状拡散板３が，「ＬＥＤ６に対向するとともに，」「半円形断面」及び「内周縁部分３１および外周縁部分３２」を有し，「複数のＬＥＤ６が実装されたリング状ＬＥＤ基板５を下側から覆う」「アクリル樹脂成形品」（略サークル状であって，主光源としての発光素子に対向し，対向する発光素子が出射した光を少なくとも幅方向に拡散する突条部を有するとともに，当該突条部から前記幅方向に形成された平坦部を有し，前記複数の主光源としての発光素子が実装された環状の基板を前面側から覆う絶縁性を有する）であるものの，基板の表面の全面を覆うものとはいえない点。
＜相違点５＞
　本件発明では，「拡散性を備え，前記本体と，前記基板と，前記点灯装置と，前記拡散部材とを前記前面側から覆うカバー部材」を具備するのに対して，引用発明では，そのような特定はない点。
（イ）引用発明の「リング状拡散板３」が本件発明の「カバー部材」に相当するとした場合。
ア．本件発明と引用発明と対比すると，後者の「リング状本体板２」は前者の「本体」に相当し，以下同様に，「ＬＥＤ６」は「発光素子」に，「リング状発光源」の「多数個のＬＥＤ６」又は「複数個のＬＥＤ６」は「主光源としての」「複数の発光素子」に，「リング状ＬＥＤ基板５」は「環状の基板」に，「リング状拡散板３」は「カバー部材」に，「リング状ＬＥＤ照明装置１」は「照明器具」に，それぞれ相当する。
イ．後者は「リング状ＬＥＤ基板５の表面に多数個のＬＥＤ６が実装され」ているから，後者の「リング状ＬＥＤ基板５」と，前者の「主光源としての発光色が昼白色である複数色の発光素子と，主光源としての発光色が電球色である複数の発光素子と，発光色が電球色の常夜灯用の発光素子とが実装された環状の基板」とは，「主光源としての複数の発光素子が実装された環状の基板」において共通する。
ウ．後者の「リング状拡散板３」は，「拡散性を備え」ていることは明らかであり，図２を参照すると「リング状本体板２」と「複数のＬＥＤ６が実装されたリング状ＬＥＤ基板５を下側から覆う」から，前者の「拡散性を備え，前記本体と，前記基板と，前記点灯装置と，前記拡散部材とを前記前面側から覆うカバー部材」とは，「拡散性を備え，前記本体と，前記基板とを前記前面側から覆うカバー部材」において共通する。
エ．そうすると，両者は，
「本体と，
　主光源としての複数の発光素子が実装された環状の基板と，
　拡散性を備え，前記本体と，前記基板とを前記前面側から覆うカバー部材と，
　を具備する，照明器具。」
の点で一致し，以下の各点で相違する。
＜相違点１＞
　本体に関して，本件発明では，「略中心部分に天井に配置された引掛けシーリングボディに接続されるアダプタを備える本体」であるのに対して，引用発明では「リング状本体板２」である点。
＜相違点２＞
　環状の基板に実装される発光素子に関して，本件発明では，「主光源としての発光色が昼白色である複数の発光素子と，主光源としての発光色が電球色である複数の発光素子と，発光色が電球色の常夜灯用の発光素子」であるのに対して，引用発明では，「リング状発光源」の「多数個のＬＥＤ６」（主光源としての複数の発光素子）である点。
＜相違点３＞
　本件発明では，「前記発光素子を点灯制御する点灯装置」「を具備する」のに対して，引用発明では，「リング状ＬＥＤ照明装置１は，リング状本体板２と，ここに取り付けられたリング状拡散板３とを有し，リング状本体板２の外周面からは給電用ケーブル４が引き出されて」いるものの，それ以上の特定はなされていない点。
＜相違点４’＞
　本件発明では，拡散部材が，「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する」のに対して，引用発明では，そのような特定はなされていない点。
＜相違点５’＞
　カバー部材に関して，本件発明では，拡散性を備え，前記本体と，前記基板と，「前記点灯装置と，前記拡散部材と」を前記前面側から覆うのに対して，引用発明では，「拡散性を備え，リング状本体板２と，リング状ＬＥＤ基板５を下側から覆う」ものの，それ以上の特定はなされていない点。
イ．相違点の判断
（ア）引用発明の「リング状拡散板３」が本件発明の「拡散部材」に相当するとした場合
＜相違点４について＞
　事案に鑑み，まず，相違点４，５について，検討する。
　引用文献５には，「複数列に配列された発光ダイオード（発光素子）を列毎に覆うようなハーフレンズ（突条部）が設けられ，そのハーフレンズ（突条部）に沿った方向に平坦部を有し，発光ダイオード（発光素子）が実装された基板の表面の全体を前面側から覆うPMMA/PC材料（絶縁性を有する）のハーフレンズと平坦部を有する同一型ハーフレンズアレイ組み合わせ構造（拡散部材）」が記載されている。
　そして，上記相違点４，５に係る本件発明を構成するためには，少なくとも，引用発明の「内周側板部分２３の先端面２３ａとリング状フランジ８１の間，および，外周側板部分２４の先端面２４ａとリング状フランジ９１の間に挟み込まれ」た「リング状拡散板３」，「内周側板部分２３」，及び「外周側板部分２４」に代えて，引用文献５に記載された事項を適用する必要があるが，引用発明を開示する引用文献１においては，「リング状拡散板は，その湾曲状内周面に前記リング状発光源からの光が直接に照射するように配置されていること」が課題を解決するための手段における特徴点であり，必須の構成であるから，引用発明における必須の構成である「リング状拡散板３」と，「内周側板部分２３」，及び「外周側板部分２４」を取り去って，引用文献５に記載された事項を適用することには，阻害要因があるといえる。
　また，仮に，「リング状拡散板３」，「内周側板部分２３」，及び「外周側板部分２４」を取り去って,引用文献５に記載された事項を適用することが阻害要因とまではいえないとしても，相違点５の本件発明の構成とするためには，さらに，「拡散性を備え，前記本体と，前記基板と，前記点灯装置と，前記拡散部材とを前記前面側から覆うカバー部材」を具備する必要があるが，引用発明から「リング状拡散板３」，「内周側板部分２３」，及び「外周側板部分２４」を取り去って，引用文献５に記載された「基板の表面の全体を前面側から覆う」拡散部材を適用した上で，さらに，拡散性を備えたカバー部材を具備することは，基板表面を覆う拡散部材を設け，さらに拡散性を備えたカバーを設けることがいずれの文献にも開示がないから，当業者であっても，容易に想到できたとはいえない。
　そうすると，複数の主光源としての発光素子と発光色が電球色の常夜灯用の発光素子を有する照明装置は周知の技術であるとしても，引用発明のリング状拡散板３（拡散部材），「内周側板部分２３」，及び「外周側板部分２４」に代えて，上記周知技術を考慮して，引用文献５に記載された事項を適用して，相違点４，５における本件発明の発明特定事項とすることは，当業者が容易になし得たこととはいえない。
　したがって，その余の相違点を検討するまでもなく，本件発明１は，引用発明，引用文献５に記載された事項，及び，周知技術等に基づいて，当業者が，容易に発明をすることができたとはいえない。
（イ）引用発明の「リング状拡散板３」が本件発明の「カバー部材」に相当するとした場合。
＜相違点４’について＞
　事案に鑑み，まず，相違点４’について，検討する。
　上記相違点４’に係る本件発明を構成するためには，少なくとも，引用発明の「複数のＬＥＤ」（複数の発光素子）とカバー部材としての「リング状拡散板３」との間に引用文献５に記載された事項の「ハーフレンズと平坦部を有する同一型ハーフレンズアレイ組み合わせ構造」（拡散部材）により基板の表面の全面を覆う必要がある。
　しかしながら，引用発明を開示する引用文献１においては，「リング状拡散板は，その湾曲状内周面に前記リング状発光源からの光が直接に照射するように配置されていること」が課題を解決するための手段における特徴点であるから，引用発明に引用文献５に記載された事項を適用すると，「ハーフレンズと平坦部を有する同一型ハーフレンズアレイ組み合わせ構造」（拡散部材）がリング状発光源とリング状拡散板３の間に存在することになり，「リング状拡散板は，その湾曲状内周面に前記リング状発光源からの光が直接に照射するように配置されていること」という引用文献１の前記発明の特徴点をなくす（阻害してしまう）ことになる。
　そうすると，引用発明に引用文献５に記載された事項を適用することには，阻害要因があることになる。
　してみれば，引用発明に引用文献５に記載された事項を適用して，相違点４’に係る本件発明を構成することは，阻害要因があるから，当業者が容易になし得たものではない。
　したがって，その余の相違点を検討するまでもなく，本件発明は，引用発明，引用文献５に記載された事項，及び周知技術等に基づいて，当業者が，容易に発明をすることができたとはいえない。
第５　取消理由通知において採用しなかった特許異議申立理由について
１．取消理由で採用しなかった特許異議申立人西村　太一の異議申立理由について
（１）特許法第２９条第２項（甲１発明を主引用発明とする）
ア．引用文献とその記載事項
（ア）甲第１号証
　甲第１号証（登録実用新案第３１６０８０８号公報）には次の記載がある。
・「【請求項 1】
　
放熱リング，透光リング及びＬＥＤ発光体を備えるＬＥＤランプ
前記放熱リングは，リング底部，内側部及び外側部を有する環体であり，
前記透光リングは，前記放熱リングの内側部に接続される内縁と，前記放熱リングの外側部に接続される外縁と，を有し，
前記
ＬＥＤ発光体は
前記放熱リングと前記透光リングとの間に配置されている
・「【技術分野】
【０００１】
　本考案は，
ＬＥＤランプ
・「【０００２】
・・・
　従来，ＬＥＤランプが使用するＬＥＤランプ構造は，長尺状の回路基板上に，多数の封止されたＬＥＤペレットを設置し，長尺状の回路基板をランプ内に溶接したりカシメ固定したりすることにより，ＬＥＤ灯具に取り付ける。ただし，従来のＬＥＤランプは，回路基板の材料が無駄になる虞があった。
　例えば，回路基板の材料を切断し，円環状又はその他の環状の回路基板を形成すると，中央部分又は周囲部分の材料が無駄になる虞があった。そのため，材料が無駄になることを防ぐために，長尺状に形成された回路基板上にＬＥＤペレットが配置された態様に限定されていた。
このように，ＬＥＤランプ及び灯具の形状は，円環状又はその他の形状に形成することが困難であった。・・・」
・「【００１１】
　また，前記ＬＥＤ発光体は，互いに接続して環状に形成された３つの回路基板を有し，
前記回路基板のそれぞれには，変圧器が接続され，前記回路基板のうちの１つには，前記接続端子が内縁に接続されていることが好ましい。
【００１２】
　また，前記放熱リング，前記透光リング及び前記ＬＥＤ発光体の前記回路基板は円環形状であることが好ましい。」
・「【００１９】
　図１及び図３を参照する。図１及び図３に示すように，
ＬＥＤ発光体３は，互いに接続して環状に形成された２つ以上の回路基板３１と，各回路基板３１にそれぞれ接続された
ＬＥＤペレット３２
，多数のＬＥＤペレット
変圧器３４と
を含む
ＬＥＤ発光体３は，放熱リング１と透光リング２との間に配置され，透光リング２に向かってＬＥＤペレット３２が照射される
・「【００２１】
　図２に示すように，本考案の一実施形態による
ＬＥＤランプは
ＬＥＤ灯具４内に取り付け
・「【００２３】
　本考案は，放熱リング，透光リング及びＬＥＤ発光体を組み合わせた構造により，ＬＥＤランプを円環形状又はその他の形状の環体で構成することにより，ＬＥＤランプの形状を多様化させ，回路基板の材料を節減し，放熱を向上させ，ランプを容易に交換することができる。」
　上記記載及び図面を参照すると，甲第１号証には以下の発明（以下「甲１発明」という。）が記載されていると認められる。
「ＬＥＤ灯具４と，
　放熱リング１，透光リング２及びＬＥＤ発光体３を備えるＬＥＤランプと，
　ＬＥＤ発光体３は，互いに接続して環状に形成された２つ以上の回路基板３１と，各回路基板３１にそれぞれ接続された多数のＬＥＤペレット３２と変圧器３４と，を含み，
　ＬＥＤ発光体３は，放熱リング１と透光リング２との間に配置され，透光リング２に向かってＬＥＤペレット３２が照射され，
　ＬＥＤランプはＬＥＤ灯具４内に取り付けた，
　ＬＥＤランプ及びＬＥＤ灯具４」
（イ）甲第２号証
　甲第２号証（特開２００７−２９９５９０公報）には，以下の記載がある。
・「【００１２】
　本発明の目的を達成するため，請求項１に記載の照明装置の発明は，
電球色を発光する電球色発光素子，昼白色を発光する昼白色発光素子
を有してなる主光源
・「【００１６】
　主光源は，電球色を発光する電球色発光素子，昼白色を発光する昼白色発光素子および昼光色を発光する昼光色発光素子を，個々に１個ずつ点灯させても，電球色と昼白色，昼白色と昼光色，昼光色と電球色を２個ずつ点灯させても，さらには電球色，昼白色，昼光色全てを点灯させるように構成されていてもよい。」
・「【００１９】
　補助光源は，赤色発光素子，緑色発光素子および青色発光素子を個々に１個ずつ点灯させても，赤色と緑色，緑色と青色，青色と赤色を２個ずつ点灯させても，さらには赤色，緑色，青色全てを点灯させるように構成されていてもよい。」
・「【００２２】
　光源体の形状は，正方形等の矩形状に構成しても，円盤状，球状等，さらには白熱電球におけるグローブ形状等に構成してもよく，特定の形状には限定されない。」
・「【００４９】
　本実施例の照明装置は，屋内の照明を行う照明器具として構成されたもので，照明装置１０は，発光素子１１からなる主光源１２，補助光源１３，光源体１４，補助光源１３により主光源１２の発光色を補助的に補うように制御する制御手段１５で構成する。
・【００５０】
　
主光源１２は，電球色を発光する電球色発光素子，昼白色を発光する昼白色発光素子
で構成し
一対の電球色ＬＥＤ１１ａ，昼白色ＬＥＤ１１ｂ
で構成する。
・【００５１】
　補助光源１３は，主として赤色を発光する赤色発光素子，主として緑色を発光する緑色発光素子および主として青色を発光する青色発光そしで構成し，本実施例では半導体発光素子である発光ダイオードで構成し，それぞれ１個の赤色発光ＬＥＤ１３Ｒ，緑色発光ＬＥＤ１３Ｇ，青色発光ＬＥＤ１３Ｂで構成する。」
・「【００５８】
　透光体１４ｅは，主光源１２および補助光源１３からの光を外部に放射させるためのもので，無色透明なポリカーボネート等の合成樹脂で開口部１４ｄの内寸と略同寸法の正方形に構成し，開口部に嵌合してシリコーン等の耐熱性の接着剤で固定する。」
・「【０１１４】
　さらに，図８（ｃ）に示すように，光源体１４の本体ケース１４ａを一般の白熱電球のシルエットに近いグローブ形に形成し，グローブの一端に白熱電球と同様のＥ２６型等の口金１４ｈを取り付け，その内部にコントローラ１５の制御回路を収納し，照明装置１０と制御手段１５が一体化された電球形のＬＥＤ照明器具（照明ランプ）を構成してもよい。」
・「【０１２０】
　本実施例の照明装置は，屋内の照明を行う照明器具として構成したが，家庭用，さらには，店舗，施設，業務用等の屋外用の各種照明器具として構成してもよい。」
・図２には，以下の内容が示されている。
　　
・　図２には，プリント配線基板１４ｂを覆う透光体１４ｅが示されている。
　これらの記載によれば，甲第２号証には，主光源としての発光色が昼白色である複数の発光素子，主光源としての発光色が電球色の発光素子，及び，環状のプリント配線基板１４ｂを覆うポリカーボネート等の透光体１４ｅなどが記載されている。
（ウ）甲第３号証
　甲第３号証（特開２００２−１６４１８２号公報）には次の記載がある。
・「【０００５】）
【発明が解決しようとする課題】本発明は上述したような従来技術の問題点を解決するためのものであり，本発明の主な目的は，簡単な操作で照明光の色を選択することができるカラー照明装置を提供することである。」
・「【０００８】本発明の第４の目的は，複数の動作モードを有し，且つ，各動作モードにおける照明効果の調節を操作性の低下を生じることなく可能としたカラー照明装置を提供することである。」
・「（【００１０】）
【課題を解決するための手段】前記目的を達成するため，様々な色の光を生成するためのカラー照明装置であって，少なくとも２つの異なる色の光を放射するための複数のカラー光源と，前記複数のカラー光源を制御するための制御装置と，前記複数のカラー光源から放射された光を混合して照明光を生成するための光混合手段と，所定の変数の値を変化させるべく操作可能な単一の調節器とを備え，当該カラー照明装置は，前記変数の値が前記照明光の色を定める第１の動作モードを有することを特徴とするカラー照明装置が提供される。このようにすることによって，各色光源に対して個別に設けられた複数の調節器ではなく，単一の調節器を操作することで照明装置によって生成される照明光の色を変えることができるため，好みの光色を簡単に選択することができ，操作性が大幅に向上される。」
・「【００１４】また，前記光混合手段が
第１の光拡散部材と，
第２の光拡散部材とを有する
二重に光拡散部材を設けることは，光源として光直進性の高いＬＥＤを用いた場合や，光源と光拡散部材との間が近い場合に特に有効である。
・「【００２２】ダイオードブリッジ１２の正側出力端には上記した第１調節器３を介して発光要素７が接続されている。発光要素７は複数の赤色，緑色，青色ＬＥＤを含んでおり，より詳細には，直列接続された複数の赤色ＬＥＤを含む赤色ＬＥＤセットＬＲと，直列接続された複数の緑色ＬＥＤを含む緑色ＬＥＤセットＬＧと，直列接続された複数の青色ＬＥＤを含む青色ＬＥＤセットＬＢとを含んでいる。各色ＬＥＤセットは２以上の並列接続されたＬＥＤ直列接続体を含むこともできる。このようにして，本実施例では，赤色ＬＥＤセットＬＲが赤色光源を，緑色ＬＥＤセットＬＧが緑色光源を，青色ＬＥＤセットＬＢが青色光源を形成している。尚，使用されるＬＥＤはシングルチップＬＥＤを含んでいても，
複数のＬＥＤチップ
表面実装タイプ
・図１には以下の内容が示されている。
　これらの記載によれば，甲第３号証には，複数のＬＥＤチップが実装された基板を第１の光拡散部材，第２の光拡散部材により二重に覆うことが記載されている。
（エ）甲第４号証
　甲第４号証（特開２００６−７３７６７号公報）には，次の記載がある。
・「【請求項１】
　中央の開口部分の周囲に配置され，異なる色の光を発光するＬＥＤ素子をそれぞれ複数個備えたＬＥＤ発光手段と，
　前記ＬＥＤ発光手段のそれぞれの色のＬＥＤ素子をそれぞれ完全に独立して駆動可能な配線手段と，
　前記ＬＥＤ発光手段の少なくとも前面に配置された光拡散手段と
　を備えたことを特徴とするＬＥＤ照明装置。」
・「【請求項５】
　前記異なる色の光を発光するＬＥＤ素子は赤，緑，青，白の光を発光するＬＥＤ素子であることを特徴とする請求項３または４のいずれかに記載のＬＥＤ照明装置。」
・「【０００５】
　本発明のＬＥＤ照明装置は，中央の開口部分の周囲に配置され，異なる色の光を発光するＬＥＤ素子をそれぞれ複数個備えたＬＥＤ発光手段と，前記ＬＥＤ発光手段のそれぞれの色のＬＥＤ素子をそれぞれ完全に独立して駆動可能な配線手段と，前記ＬＥＤ発光手段の少なくとも前面に配置された光拡散手段とを備えたことを主要な特徴とする。
　また，上記したＬＥＤ照明装置において，前記光拡散手段は，全体形状がドーナツを中心軸と垂直な平面で切断した半ドーナツ型であってもよい。」
・「【００１９】
　図３は，本発明の照明装置１０の構成を示す平面図および断面図である。また，図４は ，本発明の照明装置１０の構成を示す拡大断面図である。照明装置１０は，
多数のＬＥＤ３１が装着されたプリント配線基板３０，光拡散樹脂板３４
プリント配線基板３０は
円盤形状（リング状）であり，表面には多数の表面実装型のＬＥＤ３１が装着されており
・「【００２０】
　図５は，プリント配線基板３０上におけるＬＥＤ３１の実装配置を示す平面図である。図５（ａ）はプリント配線基板３０全体を示しており，図５（ｂ）はプリント配線基板３０の一部を拡大したものである。図５（ｂ）において，白いＬＥＤ３０は
Ｒ（赤色）のＬＥＤ
Ｇ（緑色）
Ｂ（青色）のＬＥＤ
・「【００２１】
　各ＬＥＤ３０は５個の同心円上にそれぞれＲＧＢの順の色配列パターンの繰り返しで配置されており，それぞれの円に配置されているＬＥＤの個数および配置順は同じである。但し，内側から１番目，３番目，５番目の円のＬＥＤ配置は同じ，即ち同じ角度位置に同じ色のＬＥＤが配置されているが，内側から２番目，４番目の円のＬＥＤ配置は１番目，３番目，５番目の円のＬＥＤ配置とは繰り返し中心角度の半分だけずれている。即ち，隣接する円における配置が繰り返し中心角度の半分だけずれている。このような配置とすることにより，任意の発光色においてほぼ均一な照射光が得られる。なお，色配列はＲＢＧでもよい。」
・「【００２６】
　光拡散手段である
光拡散樹脂板３４
・「【００２８】
　図６は，本発明の照明装置１０およびＬＥＤ駆動装置２１の回路を示す回路図である。照明装置１０において，ＬＥＤ３１は同じ発光色のＬＥＤ３１を例えば３個直列接続した直列回路を複数回路並列に接続している。なお，直列接続するＬＥＤの個数は任意である 。また，各ＬＥＤの輝度を揃えるために，直列回路に更に直列に抵抗を入れてもよい。」
・「【００３０】
　なお，各色のＬＥＤ駆動電流が他の色のＬＥＤに影響を与えないように，照明装置１０の各色のＬＥＤ回路とＬＥＤ駆動装置２１内の３個の可変定電流電源回路４０，４１，４２の間を接続するリード線は，各色それぞれ完全に独立している。」
・これらの記載によれば，甲第４号証には，プリント配線基板３０はリング状であり，表面には多数の表面実装型の複数色のＬＥＤ３１が装着されていること，及び環状のプリント配線基板３０を前面側から覆う光拡散樹脂板３４が記載されている。
（オ）甲第５号証
　甲第５号証（特開２００９−２８９７０９号公報）には，次の記載がある。
・「【００１２】
　図１及び図２において，天井直付け形照明装置１は，本体２，この本体２に設けられた光源ユニット３，光源ユニット３を駆動する駆動手段４，光源ユニット３からの光を反射して所定の配光をなす反射体５，本体２を覆う透光性のカバー６及びリモコン送信器７を備えている。まず，
本体２は，
中央部を開口２ｂしている。この開口２ｂには，天井面Ｃに据付けられている引掛けシーリングＣｃが嵌合し
アダプタが引掛けシーリングＣｃに結合することにより，本体２が天井面Ｃに固定される
【００１３】
　次に，本体２内の両側には長尺状の一対の光源ユニット３が設けられている。光源ユニット３は，箱状をなし一面を開口したケース３ａと，このケース３ａ内に光源として直線状に配設された複数の発光素子を備えている。この
発光素子は，ＬＥＤチップ８であり
各ＬＥＤチップ８と対向して，光を効率的に取り出すためのレンズ８ａが形成されている。
・「【００１５】
　反射体５は，光源ユニット３，３間に配設されており，板金製であり，側面形状が略Ｖ字状に構成されている。具体的には，Ｖ字状の両端側５ａを本体２に取付け，この両端側からテーパ状に反射面５ｂを形成し，その衝突部を谷間の頂点５ｃとして構成している。この頂点５ｃは，光源ユニット３，３の照射面３ｂより，下方に所定寸法Df突出しており，つまり，反射体５は，光学的に光源ユニット３，３を２分して仕切るように配設されている。なお，頂点５ｃは，光源ユニット３，３の照射面３ｂより，下方に突出していることが好ましいが，必ずしも突出していなくてもよく，照射面３ｂの近傍の位置でもよい。また，この
略Ｖ字状の反射体５の内側の空間を利用して引掛けシーリングＣｃ及び本体２に取付けられた点灯回路１２が配置されている
【００１６】
　
点灯回路１２は，前記ＬＥＤチップ８が実装された基板に電力を供給し，ＬＥＤチップ８を点灯制御する
【００１７】
　
透光性のカバー６は，アクリル製で乳白色に形成され，本体２の全面を覆うように，本体２の周縁部２ａに係合して取付けられている。なお，このカバー６の内面には，光の拡散と透過をコントロールする
・「【００２３】
　なお，上記実施形態では，光源ユニット３の向きを約１８０度の範囲で自由に可変することができるものについて説明したが，予め可変角度を，例えば，下向き，右４５度，左４５度等，設定しておいてもよい。また，リモコン送信器７は，無線によるものに限らず ，有線のものであってもよい。要は，遠隔操作により簡単に照射方向を変えることができるようにしたものであればよい。さらに，一対の光源ユニット３，３がそれぞれ個別ではなく，同期して駆動するように構成することを妨げるものではない。さらにまた，
光源ユニット３のうち，例えば，１個のＬＥＤチップ８を点灯できるようにして常夜灯の機能を付与してもよい
・「【００３２】
（実施例１）図１２において，
複数個のＬＥＤチップ８が細長の基板８ｂに実装されており，さらに，基板８ｂの実装面上には，透光性のレンズ８ａが設けられている
・図１，図１２には，以下の内容が示されている。
・図１２には，基板８ｂの表面を覆うレンズ８ａが示されている。
・これらの記載事項と図１，図１２の図示内容からみて，透光性のカバー６は，拡散性を備え，本体２と，基板８ａと，点灯回路１２と，透光性レンズ８を前面側から覆っていることが理解できる。
　これらの記載によれば，甲第５号証には，本体２は，中央部を開口２ｂし，この開口２ｂには，天井面Ｃに据付けられている引掛けシーリングＣｃが嵌合し，アダプタが引掛けシーリングＣｃに結合することにより，本体２が天井面Ｃに固定されること，複数の主光源としてのＬＥＤチップ８が実装された基板８ｂにおいて，前記ＬＥＤチップ８の一つを常夜灯用のＬＥＤチップ８として用いることができること，長尺状の基板８ｂの実装面上に基板８ｂの表面を覆う透光性のレンズ８ａが設けられること，光の拡散と透過をコントロールする透光性のカバー６は，アクリル製で乳白色に形成され，拡散性を備え，本体２と，基板８ｂと，点灯回路１２と，透光性のレンズ８ａを前面側から覆っていることが記載されていると認められる。
（カ）甲第６号証（第４　２．の引用文献２の記載事項を参照のこと）
（キ）甲第７号証
　甲第７号証（特開２０１０−１９２８４２号公報）には，次の記載がある。
・「【００２５】
　ＬＥＤ基板部13は，平面視円形状の基板であるＬＥＤ基板23と，この
ＬＥＤ基板23
に実装された複数の発光素子としてのＬＥＤ24a，24b
・「【００２９】
　さらに，ＬＥＤ24a，24b(ＬＥＤ部25a，25b)は，互いに相関色温度が異なっており，
ＬＥＤ24a(ＬＥＤ部25a)は
常夜灯などに用いる，オレンジ
ＬＥＤ24b(ＬＥＤ部25b)は
白色
・「【００４０】
　また，
グローブ19は，光拡散性を有するガラスあるいは合成樹脂
・「【００４９】
　このとき，ＬＥＤ基板部13に流れる電流が閾値電流値I0よりも小さい低電流領域では，対応する電圧が低いＬＥＤ24a(ＬＥＤ部25a)に電流が流れ，ＬＥＤ24a(ＬＥＤ部25a)が発光する。したがって，電球形ＬＥＤランプ11から照射される光は，ＬＥＤ24a(ＬＥＤ部25a)の色を種とした，例えばオレンジ色となる。」
・「【００６５】
　なお，上記各実施の形態において，
ＬＥＤ部25a，25bは
ＬＥＤ24a，24bを３つ以上の複数有していてもよい
　上記記載によれば，甲第７号証には，主光源としての発光色が白色の複数のＬＥＤ２４ｂ（発光素子）及び発光色がオレンジ（電球色）の常夜灯用のＬＥＤ２４ａ（発光素子）が実装された環状のＬＥＤ基板部１３（基板），及び，光拡散性を有するガラスあるいは合成樹脂などのグローブ１９などが記載されている。
（ク）甲第８号証（第４　２．の引用文献１の記載事項を参照のこと。）
（ケ）甲第９号証
　甲第９号証の１（中国特許出願公開第１０１６３９１９９号明細書），甲第９号証の２（甲第９号証の１の和訳）（以下，甲第９号証の１及び甲第９号証の２をまとめて「甲第９号証」ともいう。）には，次の記載がある。（以下の記載は，甲第９号証の２の記載を用いている。）
・「背景技術　ハイパワーの発光ダイオードは，指向的に発光する点光源であり，光学レンズを使って強度の分布曲線を指向的に変更する必要があり，光学レンズの設計が発光ダイオードの光源変換率に影響を与え，適切な光学レンズの設計が，発光ダイオードの発光輝度の均一性と色彩の均一性を調整できるだけではなく，光源変換率を最大限に向上し，光源の眩しさを減少できる。」（甲第９号証の１の明細書第１頁第３行〜第６行に対応）
・「本発明に開示された発光ダイオードのレンズは，特定のレンズ形状を採用したため，光強度の一つの方向における分布が，もう一つの方向における分布と比べてより均一的に調整できると同時に，該方向の光源の変換効率がより高く，全体的に，発光ダイオードの発光輝度の均一性と色彩の均一性を高め，光源の変換率を向上させ，光源の眩しさを減少させた。本発明に開示された発光ダイオードの照明装置は，多点の発光ダイオードアレイに同一型のハーフレンズのアレイ組み合わせを採用し，製品の製造を簡素化し，多点組み合わせのコストが低く，大面積でアレイを組み合わせできる。」（甲第９号証の１の明細書第２頁第８行〜第１４行に対応）
・「
光学レンズは，
PMMA/PC材料で，
・「図2に示されたのは，多点同一型のハーフレンズの多アレイ組み合わせの構造模式図であり，四つのハーフレンズは，柱体の軸線がお互いに平行する方向に沿って列として直列的に配列され，真ん中の二つのハーフレンズの位置が対向しており，即ち，この二つのレンズの光源区域が，ともに，そのレンズ列の中心へ片寄せている。外側の二つのハーフレンズの位置は，それと隣接するレンズの位置と一致している。図2における各レンズの断面は，複数のレンズが接続されている一つのレンズ列を代表でき，複数のレンズ列が，レンズ区域と非レンズ区域との境界面に重なり合う面において一致に配列されることによって，一つのレンズの面アレイとなった。」（甲第９号証の１の明細書第４頁第５行〜第８行に対応）
・「図３に示されたのは，本発明の同一型ハーフレンズの多点多アレイ組み合わせの面光源構造の模式図であり，必要に応じて，異型ハーフレンズのアレイ組み合わせを選択して実現してもよく，即ち，レンズのアレイにおいて，構造が異なるレンズを含む。多点発光ダイオードアレイにおいて，図２に示された
同一型ハーフレンズアレイ組み合わせ構造
・「本発明は，・・・
レンズ自体がレンズの機能のみならず，外観保護部材としての役割を果たす。（甲第９号証の１の明細書６ページ１〜３行に対応）
・図２，図３には，以下の内容が示されている。
・上記記載事項と図２，図３からみて，複数列に配列された発光ダイオード（発光素子）を列毎に覆うようなハーフレンズ(突条部）が設けられ，そのハーフレンズ(突条部）に沿った方向に平坦部を有するとともに，発光ダイオード（発光素子）が実装された基板の表面の全面を前面側から覆うPMMA/PC材料（絶縁性を有する）のハーフレンズと平坦部からなる同一型ハーフレンズアレイ組み合わせ構造（拡散部材）が理解できる。
（コ）甲第１０号証
　甲第１０号証（「グリーン・エレクトロニクス NO.2（トランジスタ技術 SPECIAL 増刊）　ＬＥＤ照明回路の設計」，ＣＱ出版株式会社，平成２２年７月１日，P.16-18）には，次の記載がある。）
「光配光設計
●照明には用途に合わせて光の出し方が必要
・・・スポットライト以外の室内用灯具では，光の配光を意図的に狭めたりすることはあまりしません．逆にグレア低減のために，損失を少なくしつつも，灯具の出射面全体から光がむらなく出てくるように注力します．その他の室内灯具のほとんどは室内に発光面が露出していますから，照明エリア内から発光面が自然と目に入ってしまします．しかし，
ＬＥＤから出る光は点ですから，これを面からの出射に変換するための拡散処理を必ず行わなければいけません．
イ．発明の対比
ａ．本件発明と甲１発明とを対比すると，後者の「ＬＥＤ灯具４」は前者の「本体」に，以下同様に，「ＬＥＤペレット３２」は「発光素子」に，「回路基板３１」は「基板」に，「ＬＥＤランプ及びＬＥＤ灯具４」は「照明器具」に，それぞれ相当する。
ｂ．後者の「各回路基板３１にそれぞれ接続された多数のＬＥＤペレット３２」は，主光源として用いられること，及び，基板に実装されていることは明らかであるから，前者の「主光源としての発光色が昼白色である複数の発光素子と，主光源としての発光色が電球色である複数の発光素子と，発光色が電球色の常夜灯用の発光素子とが実装された環状の基板」とは，「主光源として複数の発光素子が実装された環状の基板」において共通する。
ｃ．後者の「変圧器３４」は，回路基板３１にそれぞれ接続されており，ＬＥＤペレット３２を点灯することは明らかであるから，前者の「発光素子を点灯する点灯装置」に相当する。
ｄ．そうすると，両者は，
「本体と，
　主光源として複数の発光素子が実装された環状の基板と，
　発光素子を点灯する点灯装置と，
を具備する照明器具。」
において，一致し，以下の各点で相違すると認められる。
＜相違点１＞
　本体に関して，本件発明では，「略中心部分に天井に配置された引掛けシーリングボディに接続されるアダプタを備える本体」であるのに対して，甲1発明では，ＬＥＤ灯具４である点。
＜相違点２＞
　主光源として複数の発光素子が実装された環状の基板に関して，発光素子が，本件発明では，「主光源としての発光色が昼白色である複数の発光素子と，主光源としての発光色が電球色である複数の発光素子と，発光色が電球色の常夜灯用の発光素子」であるのに関して，甲1発明では，そのような特定はなされていない点。
＜相違点３＞
　本件発明は，「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材と；拡散性を備え，前記本体と，前記基板と，前記点灯装置と，前記拡散部材とを前記前面側から覆うカバー部材と；を具備する」のに対して，甲１発明は，「放熱リング１，透光リング２及びＬＥＤ発光体３を備える」点。
ウ．相違点の判断
　事案に鑑み，まず，相違点３について検討する。
　甲第１号証には，下記の記載がある。
　「本考案は，・・・ＬＥＤランプを円環形状・・・で構成することにより，ＬＥＤランプの形状を多様化させ・・・ることができる。」（段落【００２３】）。
　上記記載の通り，甲第１号証は，ＬＥＤランプの形状を円環状で構成することを実現したものである。このように，甲第１号証はＬＥＤランプの形状に着目したものに過ぎず，透光リング２が拡散性を有することについては，記載がない。
　一方，甲第９号証には，前述したように，「複数列に配列された発光ダイオード（発光素子）を列毎に覆うようなハーフレンズ(突条部）が設けられ，そのハーフレンズ(突条部）に沿った方向に平坦部を有するとともに，発光ダイオード（発光素子）が実装された基板の表面の全面を前面側から覆うPMMA/PC材料（絶縁性を有する）のハーフレンズと平坦部からなる同一型ハーフレンズアレイ組み合わせ構造（拡散部材）」が記載されている（以下「甲９記載事項」という。）。
　そうすると，拡散性についての記載のない甲１発明に，拡散部材としての第９記載事項を適用しようとする動機付けはない。
　たとえ，甲第１号証に記載のＬＥＤが指向性を有し，そのためにＬＥＤを発光源とする照明装置に拡散処理が必要であることは，甲第１０号証に「しかし，ＬＥＤから出る光は点ですから，これを面からの出射に変換するための拡散処理を必ず行わなければいけません。」（第１７頁左欄第２〜４行参照）のような記載があることから，本件特許出願時における技術常識であるとして，甲１発明に周知技術（「複数の主光源としての発光素子及び常夜灯用の発光素子を有する照明装置」（甲６，甲７等）を考慮して，甲９記載事項を適用できたとしても，基板表面を覆う拡散部材を設け，さらに拡散性を備えたカバーを設けることがいずれの文献にも開示がないから，相違点３における本件発明の発明特定事項には，至らない。
　したがって，その他の相違点は，検討するまでもなく，本件発明１は，甲１発明，甲９記載事項及びその他の周知技術（甲２〜〜甲８，甲１０）に基いて当業者が容易に発明をすることができたとはいえばい。
（２）特許法第３６条第６項第１号
　特許異議申立人西村　太一は，照射光の均斉度の向上を図ることが可能な照明器具を提供するという本件特許発明の課題を達成するため構成が，本件特許発明には，開示されていないから，本件特許発明は，発明の詳細な説明に記載されたものではないというべきである旨主張する。
　しかしながら，本件発明の特に「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材」という発明特定事項により，照射光の均斉度の向上を図ることが可能になるものと認められるから，本件発明は，課題を達成するための構成が開示されているといえ，本件発明は，発明の詳細な説明に記載されたものである。
　よって，特許異議申立人西村　太一の主張する特許法第３６条第６項第１号を要件とする取消理由は成り立たない。
（３）特許法第３６条第６項第２号
ア．「発光素子を点灯制御する点灯装置」について
　異議申立人は，請求項１に記載された「発光素子を点灯制御する点灯装置」は，その意味が明瞭でない旨主張する。
　しかしながら，「発光素子を点灯制御する点灯装置」は，文字通り，発光素子の点灯を制御することができる点灯装置であればよく，明確である。
イ．「略サークル状であって，・・・幅方向に形成された平坦部を有し，・・・絶縁性を有する拡散部材」について
　本件発明の「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材」は，段落【００１８】，【００１９】，【００２３】，【００２４】，【００２６】，【００２８】，図３〜図７等によっても裏付けられており，その意味は明確である。
ウ．小括
　特許異議申立人西村　太一の主張する特許法第３６条第６項第２号を要件とする取消理由は成り立たない。
（４）特許法第３６条第４項第１号
ア．本件発明は，「主光源としての発光色が昼白色である複数色の発光素子と，主光源としての発光色が電球色である複数の発光素子と，発光色が電球色の常夜灯用の発光素子とが実装された環状の基板」を発明特定事項としており，発明の詳細な説明の記載は，その実施をすることができる程度に明確かつ十分に記載されているものといえる。
イ．本件発明の「発光素子を点灯制御する点灯装置」は，文字通り，発光素子の点灯を制御することができる点灯装置であればよく，技術常識を踏まえれば，発明の詳細な説明の記載は，その実施をすることができる程度に明確かつ十分に記載されているものといえる。
ウ．小括
　特許異議申立人西村　太一の主張する特許法第３６条第４項第１号の取消理由は成り立たない。
２．取消理由で採用しなかった特許異議申立人梯　京子の異議申立理由について
（１）特許法第２９条第２項
ア．引用文献とその記載事項（以下，特許異議申立人梯　京子の提出した甲号証には，甲１’号証のように「’」をつけて示すこととする。）」　
（ア）甲第１’号証
　甲第１’号証（特開２０１０−４９８３０号公報）には次の記載がある。
・「【請求項１】
　正面側に凹部からなる収容部を備えるとともに，裏面側には前記収容部に連続する複数のフィンが放射状に形成されている熱伝導性の筐体と，
　前記収容部の底面上に配置されるＬＥＤ実装用基板と，
　前記ＬＥＤ実装用基板に実装される複数のＬＥＤ発光装置と，
　前記ＬＥＤ実装用基板上に配置されるリフレクタ板であって，正面側に向かって拡径する複数の開口部によって前記ＬＥＤ発光装置の各々の周囲にリフレクタ面を形成する
リフレクタ板と
　前記リフレクタ板の正面側及び側面側を覆い，前記リフレクタ板を位置決めし且つ押圧した状態で前記筐体に固定されるレンズ板であって，前記開口部と同数のレンズ部を備え，各レンズ部は対応する前記開口部の上に位置する
レンズ板と
　を備えるＬＥＤ照明装置。
【請求項２】
　
前記リフレクタ板と前記レンズ板の間に配置される光拡散シート
・「【請求項４】
　前記レンズ板の上に配置される光透過性のカバーを更に備えることを特徴とする，請求項１又は２に記載のＬＥＤ照明装置。」
・「【０００１】
　本発明は室内の照明に利用されるＬＥＤ照明装置に関する。本発明のＬＥＤ照明装置は例えば従来のダウンライトと同様の目的（天井側から照明すること）に利用される。」
・「【発明の効果】
【０００６】
　以上の構成では，リフレクタ板を押圧した状態でレンズ板が筐体に固定される結果，筐体に備えられた凹部内にＬＥＤ実装用基板，リフレクタ板及びレンズ板が間に余分なスペースのない状態で積層される。これによって極めて薄型の装置となる。一方，ＬＥＤ実装用基板が筐体と接触した状態が形成されることになり，ＬＥＤ発光装置から生じた熱がＬＥＤ実装用基板を介して筐体へ効率的に伝わる。そして，筐体が熱伝導性であることから，筐体へ伝わった熱は速やかに筐体内を伝搬する。その結果，筐体に備えられた複数のフィンを介して効率的に放熱が行われる。当該複数のフィンは，ＬＥＤ発光装置が収容される収容部に連続しているとともに放射状に形成されており，これによって放熱効果が更に高められることになる。 上記の通り，本発明のＬＥＤ照明装置は極めて薄型となる。従って，必要な施工スペースが少なくなる。また，天井に埋めこむのではなく，天井に貼り付けるといった施工も可能になる。このような施工であれば大掛かりな工事を要しない。即ち施工が容易となる。 一方，レンズ板を固定する際，レンズ板によってリフレクタ板が位置決めされることから，組み立ても容易である。」
・「【００１１】
　実装基板に実装されるＬＥＤ発光装置の構成及び数は特に限定されない。また，発光色も特に限定されない。典型的には，照明用途に通常使用される白色系の光を発するＬＥＤ発光装置を用いる。発光色の異なるＬＥＤ発光装置を併用してもよい。このように構成すると照明色の切り替えが可能な照明装置となる。発光色の組合せは特に限定されない。色調の異なる２種類以上の白色系の光を照射可能な照明装置にするのであれば，昼光色のＬＥＤ発光装置，昼白色のＬＥＤ発光装置，白色のＬＥＤ発光装置，温白色のＬＥＤ発光装置及び電球色のＬＥＤ発光装置の中から二以上を組み合わせればよい。具体例を挙げると ，電球色のＬＥＤ発光装置と，白色のＬＥＤ発光装置を組み合わせる。この例では色調が比較的大きく異なる２種類の光（電球色の光と白色の光）に加え，中間的な色調の光（両者を同時に点灯するモードを備える場合）を照射可能な照明装置になる。」
・「【００１７】
　本発明の一形態では，リフレクタ板とレンズ板の間に配置される光拡散シートを更に備える。当該構成によれば光拡散シートによって光が拡散される結果，均一性の高い光を生成できる。即ち，照明用途に一層好ましい光を生成可能となる。
　例えば，表面に規則的又はランダムな凹凸を備える，透光性樹脂（ポリエチレン樹脂，塩化ビニル樹脂，ポリエステル樹脂，ＰＥＴ（ポリエチレンテレフタレート）樹脂，
ポリカーボネート樹脂
製の
光拡散シートとして利用可能
・「【００２５】
　図１０に示す通り，ＬＥＤ発光装置３０は基板（ＬＥＤ搭載基板）３１の上に載置されたＬＥＤチップ３２を樹脂３３でモールドした構成からなる。ＬＥＤチップ３２はIII族窒化物系化合物半導体を材料としたＬＥＤチップであり，青色系の光を発する。樹脂モールド３３には黄色系の蛍光体が含有されている。ＬＥＤチップ３２からの青色光と，当該青色光による励起によって蛍光体から生じた蛍光（黄色光）とが混合し，白色光が生ずる。
　ＬＥＤ発光装置３０の基板３１は裏面側が周縁部を除いて円柱状に突出している。ＬＥＤ発光装置３０を実装する際，当該凸部は実装基板２０の孔２４に差し込まれる。その結果，当該凸部の先端面と実装基板２０の裏面が略面一となる。」
【００２６】
　ここで，照明装置１の回路図を図１１に示す。図示の通り，電子部品４０としてヒューズ４１，コンデンサ４２（この実施例では合計１０個を使用），抵抗４３，４４，ブリッジダイオード４５，ツェナーダイオード４６を使用する。このように，この実施例ではＬＥＤ発光装置３０の駆動及び制御に必要な電子部品を内蔵させることにした。一部又は全部の電子部品を外付けとし，照明装置１の構成を簡略化してもよい。内蔵する電子部品を少なくすれば，全体の発熱量を減少させることもできる。また，電子部品からの電磁ノイズの問題の解消にも役立ち，小型化に適した構成となる。」
・「【００２９】
　レンズ板７０はポリカーボネート樹脂製である。レンズ板７０は平面視円形であり，裏面側には外縁部を残して凹部が形成されている（断面が略コ字状となる。図５，６を参照 ）。当該凹部にはリフレクタ板５０及び光拡散シート６０が収容されることになる。当該凹部の径はリフレクタ板５０の径よりも僅かに大きい。
　レンズ板７０は６箇所のレンズ部７１を備える。照明装置１の組立の際，リフレクタ板５０の開口部５１の直上にレンズ部７１が配置されることになる。レンズ部７１は正面側が凸レンズ形状である。この実施例では，レンズ部７１の裏面側もレンズ面７４（凹曲面）とし，光の入射時にもレンズ効果が得られるようにしている。
　レンズ板７０の裏面側の外縁部には２箇所に位置決め用突起７２が備えられる。一方，正面側の外縁部には２箇所に切り欠き７３が設けられている。切り欠き７３内にはネジ用の孔が穿設されている（図８を参照）。尚，アクリル樹脂（メタクリル樹脂（ＰＭＭＡ）等），エポキシ樹脂，ガラス等からなるレンズ板を用いることもできる。」
・「【００３４】
　次に，照明装置１の照明態様を説明する。給電を受けてＬＥＤ発光装置３０が点灯状態になると，各ＬＥＤ発光装置３０からレンズ板７０に向かう白色光が生ずる。各ＬＥＤ発光装置３０が放射する光の一部はリフレクタ板５０が形成するリフレクタ面による反射を受けた後，レンズ板７０に向かう。このようなリフレクタ面の作用によって光の利用率が高められる。レンズ板７０に向かった光は光拡散シート６０を通る際に拡散した後，レンズ板７０に入射する。レンズ板７０に入射した光はレンズ効果によってその方向性が調整され，所定の指向性をもつ光としてレンズ板７０から出射する。尚，レンズ入射前に光拡散シート６０で光を拡散させることから，均一性の高い照明光を生成できる。」
・「【実施例２】
【００３６】
　他の実施例である照明装置２を図１２〜１７に示す。図１２は照明装置２の正面図，図１３は同平面図，図１４は同斜視図（上段は正面側の斜視図，下段は裏面側の斜視図），図１５及び１６は同断面図（順に図１２のＡ−Ａ線断面，Ｂ−Ｂ線断面），図１７は同分解斜視図である。尚，上記実施例と同一の部材・要素には同一の符合を付し，その説明を省略する。また，特に説明しない事項（例えば筐体の材質など）については照明装置１の場合と同様である。
【００３７】
　照明装置２は大別して
筐体１００，
制御回路用の各種電子部品１２１
ＬＥＤ発光装置用の実装基板１３０，ＬＥＤ発光装置３０，リフレクタ板１４０，光拡散シート１５０，レンズ板１６０，及びカバー１７０
【００３８】
　実装基板１３０，リフレクタ板１４０，光反射シート１５０及びレンズ板１６０のそれぞれ中央にはこれらの部材を筐体１００に固定するためのネジ孔１３１，１４１，１５１，１６１が穿設されている。実装用基板１３０，リフレクタ板１４０，光反射シート１５０及びレンズ板１６０のその他の構成は細部（位置決め用の切り欠きや孔など）を除いて照明装置１の対応する部材と同様である。
【００３９】
　
カバー１７０は半透明の白色樹脂からなり，光を拡散す
【００４０】
　照明装置２は次のように組み立てられる。まず，筐体１００の収容部１０１に仕切板１１０を嵌め込む。次に電子部品１２１を実装した実装基板１２０を仕切板１１０の溝部１１１の中に載置する。溝部１１１の底部には，実装基板１２０の位置決めと位置ずれ防止のための保持部１１２が所定間隔で備えられている。続いて，ＬＥＤ発光装置３０を実装した実装基板１３０を収容部１０１に載置する。その後，リフレクタ板１４０及び光拡散シート１５０を順に位置調整しつつ積層した後，レンズ板１６０をリフレクタ板１４０に被せる。次に，ネジ９０をレンズ板１６０の中央に設けられた孔１６１に挿通し，レンズ板１６０を筐体１００にネジ止めする。これによってレンズ板１６０の裏面側が光拡散シート１５０を介してリフレクタ板１４０を押圧した状態が形成される。即ち，レンズ板１６０と筐体１００との間に実装基板１３０，リフレクタ板１４０，光拡散シート１５０が狭持された構造が形成される。」
・「【００４４】
　発光色の異なるＬＥＤ発光装置を二種類以上併用することにしてもよい。例えば
白色光を発するＬＥＤ発光装置を３個と電球色光を発するＬＥＤ発光装置を３個使用することにし
点灯制御によって例えば白色照明モードと電球色照明モードを切り換え可能な照明装置となる。
・図１６，図１７には。以下の内容が示されている。
・段落【００４４】の下線部の記載からみて，白色照明モードと電球色照明モードがあるから，これらのＬＥＤ発光装置３０が主光源として機能していることは明らかである。
・そうすると，図１６，図１７からみて，複数のＬＥＤ発光装置３０が実装された環状の実装基板１３０，ＬＥＤ発光装置３０の制御回路用の各種電子部品１２１，略サークル状であって，ＬＥＤ発光装置３０に対向するとともに，対向するＬＥＤ発光装置３０が出射する複数した光を拡散するとともに，前記複数の主光源としてのＬＥＤ発光装置３０が実装された環状の実装基板１３０を前面側から覆う光拡散シート１５０と，リフレクタ板１４０，及び，レンズ板１６０が理解できる。
　また，図１６，図１７からみて，カバー１７０は，筐体１００の収容部１１０，環状の実装基板１３０，制御回路用の各種電子部品１２１，前記光拡散シート１５０，リフレクタ板１４０，レンズ板１６０とを前面側から覆うことが理解できる。 
・これらの上記記載及び図面を参照すると，甲第１’号証には，以下の発明（以下「甲１’発明」という。）又は以下の事項（以下「甲１’記載事項」という。）が記載されていると認められる。
「筐体１００と，
　主光源として発光色が昼白色の複数のＬＥＤ発光装置３０及び主光源として発光色が電球色の複数のＬＥＤ発光装置３０が実装された環状の実装基板１３０と，
　前記ＬＥＤ発光装置３０の制御回路用の各種電子部品１２１と，
　略サークル状であって，ＬＥＤ発光装置３０に対向するとともに，対向するＬＥＤ発光装置３０が出射する複数した光を拡散するとともに，前記複数の主光源としてのＬＥＤ発光装置３０が実装された環状の実装基板１３０を前面側から覆うポリカーボネート樹脂製の光拡散シート１５０と，
　リフレクタ板１４０及びレンズ板１６０と，
　半透明の白色樹脂からなり光を拡散し，筐体１００の収容部１１０，環状の実装基板１３０，制御回路用の各種電子部品１２１，前記光拡散シート１５０，リフレクタ板１４０，レンズ板１６０とを前面側から覆う，カバー１７０と，
　を備える，ＬＥＤ照明装置。」
（イ）甲第２’号証
　甲第２’号証（特開２００６−２６９１０５公報）には，以下の記載がある。
・「【００１２】
　図においては，１は基板中心軸１ａと位置決めピン１ｂが一体となった本体底板で，その下段には固定プリント基板２に一次側電源接続ピン形端子３を組込んだものを固定し，上段には回転プリント基板４に回転プリント基板給電装置５と赤色ＬＥＤ６と緑色ＬＥＤ７と青色ＬＥＤ８と上部カバー９を組込んだものを，基板押さえ板１０で押さえ込んで回転可能な状態で固定し，上方から本体ケース１１に回転プリント基板設定位置固定用板バネ１２を組込んだもので閉塞されている。ただし，ここで本ＬＥＤユニットはピン形端子３での給電となっているが，照明器具側の形状等との兼合いから，引出し線または口金等による方法もあり，給電方法を特に限定する必要はないものとする。」
・「【００１７】
　以下，上記構成の動作を説明する。一次側電源接続ピン形端子３から取入れた電流は，固定プリント基板２のプリント配線２ａ・２ｂから回転プリント基板給電装置５を通じて回転プリント基板４のプリント配線４ａ・４ｂへと流れて，赤色ＬＥＤ６と緑色ＬＥＤ７と青色ＬＥＤ８の回路に供給されるが，ここで，回転プリント基板４の回転角度設定位置によって，色調パターンを考慮して構成された固定プリント基板２の上面プリント配線２ａと給電接触子５ａとが接触して通電状態となっている回路のＬＥＤが点灯をし，その場合の光の合成色がＬＥＤユニットとしての色調となる。」
・「【００１９】
　また，赤色ＬＥＤ６と緑色ＬＥＤ７と青色ＬＥＤ８の配設数及び色調パターン数については，ＬＥＤ固有の明るさ及び色調パターンの考え方により組合せが幾通りも考えられるが ，その一例として図７〜図９で色調パターンに関する説明をすると，図７のように赤色ＬＥＤ６をＲ１とＲ２の２回路，緑色ＬＥＤ７をＧ１とＧ２の２回路，青色ＬＥＤ８をＢ１とＢ２の２回路で点灯回路を編成した場合は，色調パターンの種類は図８の表のように２６種類となるが，ここで２６種類のうち点灯数に相違があって同色調のもの（たとえば，図８の表内のパターン数番号３・１５）も存在するため，同色のＬＥＤが２回路のみ点灯するもの（図８の表内のパターン数番号９・２１・２５）以外において点灯回路数が２以下のもの（図８の表内のパターン数番号１５・１７・１８・２３・２４・２６）を削除して色調の並びを整理すると，図９の表のように２０種類となる。」
・「【００２１】
・・・
９　上部カバー(半透明または拡散透過性乳白色等）
」
・図１，図２には，以下の内容が示されている。
・図１及び図２からみて，複数色の赤色ＬＥＤ６，緑色ＬＥＤ７及び青色ＬＥＤ８が実装された環状の回転プリント基板４，回転プリント基板給電装置５，略サークル状であって，幅方向に形成された平坦部を有し，赤色ＬＥＤ６，緑色ＬＥＤ７及び青色ＬＥＤ８が実装された環状の回転プリント基板４のを前面側から覆う上部カバー９が理解でき，上部カバー９は，本体ケース１１と，回転プリント基板４と，前記回転プリント基板給電装置５を前面側から覆うことが示されている。
　これらの記載によれば，甲第２’号証には，以下の発明（以下「甲２’発明」という。）又は以下の事項（以下，「甲２’記載事項」という。）が記載されていると認められる。
「本体ケース１１と，
　主光源としての発光色が複数の赤色ＬＥＤ６，緑色ＬＥＤ７及び青色ＬＥＤ８が実装された環状の回転プリント基板４と，
　前記赤色ＬＥＤ６，緑色ＬＥＤ７及び青色ＬＥＤ８を点灯制御する回転プリント基板給電装置５と，
　略サークル状であって，前記主光源としてのＬＥＤに対向するとともに，幅方向に形成された平坦部を有し，前記複数の主光源としての発光素子が実装された環状の回転プリント基板４を前面側から覆う上部カバー９であり，
　本体ケース１１と，前記回転プリント基板給電装置５を前面側から覆う拡散透過性乳白色の上部カバー９とを，
　備える照明用ＬＥＤユニット。」
（ウ）甲第３’号証
　甲第３’号証（登録実用新案第３０１６６３６号公報）には，以下の記載がある。
・「【０００８】
　前記発光面にアンバー色の発光ダイオード複数ｎ個に対して青色の発光ダイオード１個の割合で配置され，前記ｎは４〜８であり，前記発光面のほぼ正面で発光色が自然な白色に見えるように，アンバー色の発光ダイオードに流れる電流に対して青色の発光ダイオードに流れる電流が設定されることが望ましい。前記発光面のほぼ中央に青色の発光ダイオードが配置され，発光面の周囲にアンバー色の発光ダイオードが配置されるか，もしくは前記発光面にほぼ等間隔に青色の発光ダイオードが配置され，その青色の発光ダイオードの周囲にアンバー色の発光ダイオードが配置される構成にすることができ，前面に光散乱レンズを備えることができる。」
・「【００２０】
　本考案第一実施例は，鉄道の中継信号機および入換信号機，その他に用いられる信号灯の例を示したものである。この例は，図１に示すように，３個のアンバー色の発光ダイオードＡを直列に接続して一組としたもの１０組（合計３０個）と，２個の青色の発光ダイオードＢを直列に接続して一組としたもの２組（合計６個）とがそれぞれ並列に接続される。このように電気的に接続されたアンバー色の発光ダイオードＡが図２に示すように，基板３の中心から放射状に３層にわたって配置されて六つのブロックが形成され，その各々のブロックのほぼ中央となる位置のそれぞれに１個の青色の発光ダイオードＢが配置される。アンバー色の発光ダイオードＡおよび青色の発光ダイオードＢの間には液状シリコン４が充填される。基板３は図３に示すようにケース５内に収容され，ケース５の背面には抵抗基板７が取付けられ，その発光面にはレンズ６が取付けられる。」
・「【００２４】
　本考案第二実施例は，各種装置に用いる動作表示ランプの例を示したもので，基板１３上に，１個の青色の発光ダイオードＢを中央にして，アンバー色の発光ダイオードＡが６個配列される。基板１３は口金１２に固定されたフード１１内に収容され，液状シリコン４で固定される。この種の表示用ランプは直径が２０ｍｍ〜３０ｍｍ程度の小型のものである。必要な場合には光散乱レンズを装着することによって白色発光の効果をさらに高めることができる」
・図３，図４には，以下の内容が示されている。
・図３及び図４には，主光源としての発光ダイオードＡ，Ｂ（発光素子）に対向するとともに，幅方向に形成された平坦部を有するレンズ６（拡散部材）が図示されている。
（エ）甲第４’号証
　甲第４’号証（特開２０００−８２３０４号公報）には，次の記載がある。
・「【００２９】しかし，本発明は，一般照明用ランプを備えていないカラー照明専用の照明装置に組み込むこともでき，この場合にも上述した各作用のうち主要な作用を奏することが明らかである。」
・「【００６９】さらに，光拡散カバーの材料は，上述のように限定されるものではないが，たとえば合成樹脂やガラスなどを用いることができる。」
・「【０１３９】可変抵抗器１６ｂは，各色発光素子Ｒ，Ｇ，Ｂを発光色別に独立して調光できるように３個あり，それぞれ基体１１の外部から手動操作を可能にするために，基体１１の側面に適当な間隔で取り付けられている。」
・「【０１４７】さらにまた，調光手段１６を操作してＲＧＢ発光素子群２の点灯レベルを絞ると，常夜灯または保安灯として用いることができる。しかも，所望の色光にできるから，使用者の嗜好に合わせた色光の常夜灯にすることにより，安眠することができる。また，常夜灯の明るさについては従来から人により様々な要求があるが，調光レベルの調整によってどのような明るさの要求にも応えることができる。」
・「【０１８５】切換手段１７は，さらに第３の固定接点１７ｅおよび第４の固定接点１７ｆが付加されている。そして，切換手段１７の第１の固定接点１７ａは，インバータ２２ａの全光点灯用の入力端子に接続されている。また，第３の固定接点１７ｅは，調光点灯用の入力端子に接続されている。第４の固定接点１７ｆは，常夜灯２３に接続している。」
・「【０１９０】本実施形態は，ＲＧＢ発光素子群２を常夜灯として用いることにより，図１７における常夜灯２３を除去したものである。」
・「【０１９１】したがって，本実施形態によれば，一般のこの種照明器具と同様に４段のプルスイッチを用いて，全光点灯，調光点灯ならびにカラー照明および常夜灯点灯を順次切り換えることができる。さらに，使用者の好みの明るさおよび色光の常夜灯点灯を行えることにより，様々な要求に応えることができる。」
（オ）甲第５’号証（第４　２．の引用文献２の記載事項を参照のこと）
（カ）甲第６’号証（特許異議申立人西村　太一が提出した甲第７号証の記載事項を参照のこと）
（キ）甲第７’号証（第４　２．の引用文献１の記載事項を参照のこと）
（ク）甲第８’号証
　甲第８’号証の１（中国特許出願公開第１０１６３９１９７号明細書），甲第８’号証の２（甲第８号証の１の和訳）（以下，甲第８号証の１及び甲第８号証の２をまとめて「甲第８’号証」ともいう。）には，次の記載がある（以下，甲第８号証の２の記載を援用する）。
・「【請求項１】
　発光ダイオードのレンズであって，前記レンズの形状は，交差する平面で切り取れた中空の球体の一部であり，断面形状が環形状であり，前記一部中空の球体の頂部が下に向けて凹んでおり，凹んだ箇所で，レンズが薄く，前記中空の一部球体の内面が前記レンズの入光面であり，外面が前記レンズの出光面である，ことを特徴とする発光ダイオードのレンズ。」
・「【請求項８】
　発光ダイオードの照明装置であって，複数の請求項１乃至６のうちいずれ一項記載の発光ダイオードのレンズからなる発光ダイオードのレンズ群を含み，前記発光ダイオードのレンズ群のレンズ区域と非レンズ区域との境界面がお互いに重なり合い，発光面が同じ側に位置し，さらに，前記各発光ダイオードの位置と逐一に対応する光源としての発光ダイオードを含む，ことを特徴とする発光ダイオードの照明装置。
【請求項９】
　請求項８に記載の発光ダイオードの照明装置において，複数の前記発光ダイオードレンズ群と複数の発光ダイオードは行として並行に配列され，隣接する行における発光ダイオードのレンズの位置がずれて揃っていない，ことを特徴とする発光ダイオードの照明装置」
・「背景技術　　ハイパワーの発光ダイオードは，指向的に発光する点光源であり，光学レンズを使って強度の分布曲線を指向的に変更する必要があり，光学レンズの設計が発光ダイオードの光源変換率に影響を与え，適切な光学レンズの設計が，発光ダイオードの発光輝度の均一性と色彩の均一性を調整できるだけではなく，光源変換率を最大限に向上し，光源の眩しさを減少できる。
発明の概要　　本発明の主な目的は，光学レンズを使って光強度の分布を指向的に変更し，発光ダイオードの発光輝度の均一性と色彩の均一性を改善し，光源変換率を最大限に向上し，光源の眩しさを減少できる発光ダイオードのレンズ，照明装置とバックライト装置を提供することである。」（甲第８’号証の１の明細書第１頁第３〜９行の記載に対応）
・「本発明に開示された発光ダイオードのレンズは，特定のレンズ形状を採用したため，特定の光強度の分布が得られると同時に，光源変換率がより高く，発光ダイオードの発光輝度の均一性と色彩の均一性を全体に向上し，光源の眩しさを減少した。本発明に開示された発光ダイオードの照明装置とバックライト装置では，本発明の全レンズのアレイ組み合わせを採用し，製品の制作が容易であり，組み合わせのコストが低く，大面積のアレイの組み合わせが一体化できる。」（甲第８’号証の１の明細書第２頁第１４〜１８行の記載に対応）
・「光学レンズは，通常に，光学級のPMMA/PC材料で，射出又は押出により制作され，本発明のレンズの光源物理出光面と均一的且つ緊密に接近するレンズ面が，レンズ入光面と称され，必要に応じて，円滑鏡面，サンドブラスト面，点面又は歯形状面とすることができる。光線が出射されたレンズの物理表面が出光面であり，図1に示されたレンズが不規則な一部球体において同一の曲率又は異なる曲率の組み合わせで生成された出光面は，必要に応じて，円滑鏡面，サンドブラスト面，点面又は歯形状面とすることができる。光源中心から発された光が，厚みに垂直する平面において直接にレンズに入り，また，空気中に屈折する。光学レンズのすべての光線は，屈折出光を基本要求とする同時に，光強度有効分布を満たして，光源システムの変換率を最大化し，光源輝度と色彩の均一性要求を実現するようにする。」（甲第８’号証の１の明細書３頁第２０行〜４ページ１行）
・「図６に示されたのは，本発明の一つの全レンズ光源装置の実施例の立体的構造模式図であり，二次レンズを備える七つの発光ダイオードがレンズと非レンズとの境界面において一つの円皿に合わせて配列されて，一つの面積が大きい光源として共同で成り立っている。中心位置において，三つのレンズが一行となり，両側において，二つのレンズが一行となり，隣接する行におけるレンズの位置がずれて揃っていない。
図7-1，7-2に示されたのは，本発明の一つの全レンズバックライト光源装置の実施例の断面構造模式図と立体的構造模式図であり，複数の発光ダイオードは，レンズと非レンズとの境界面に重なり合うように基板に交互に配列される。発光ダイオードに逐一に対応する全レンズが発光ダイオードの上を覆い，レンズの上に拡散パネルが設けられ，拡散パネルの上にディスプレイパネルが設けられる。基板の下に，さらに，一層の保護パネルが設けられる。」（甲第８’号証の１の明細書第５頁第２１行〜第６頁第３行の記載に対応）
・「本発明は，設計上，光強度の均一性の調整を行い，眩しさの影響を下げたので，余計な補助構造材料で関連影響に対応する必要がなく，レンズ自体がレンズの機能のみならず，外観保護部材としても役割を果す。同時に，高効率で変換されるので，対応の放熱コストも下げられ，製品の構造コストが最低限に抑制する。」（甲第８’号証の１の明細書第７頁第５〜７行の記載に対応）
・図６，図７−１及び図７−２には，以下の内容が示されている。
・図６，図７−１及び図７−２には，発光ダイオードに対応する中空の一部球体のレンズからなる全レンズ（拡散部材）で，平坦部を有する円形状（図６）及び長尺状（図７−１及び７−２）の全レンズ（拡散部材）が図示されている。
・上記記載及び図面を参照すると，甲第８’号証には，平坦部を有する円形状及び長尺状の拡散部材が記載されている。
（ケ）甲第９’号証（第４　２．の引用文献５の記載事項を参照のこと）
（コ）甲第１０’号証
甲第１０’号証の１：“ＨＯＭＥ　ＬＩＧＨＴＩＮＧ　２０１０−２０１１　住宅照明（F13）”，東芝ライテック株式会社，２０１０年５月，（第４　２．の「引用文献３」）
甲第１０’号証の２：“ＬＥＤ Lighting Vol.８”，東芝ライテック株式会社，平成２２年１０月（第４　２．の「引用文献４」）
甲第１０’号証の３：“商品情報・お客様サポート”，［online］，平成２２年（作成日），東芝ライテック株式会社，［令和２年４月２０日検索／出力］，インターネット，
＜URL:https://www.tlt.co.jp/tlt/information/update/update2010.htm
甲第１０’号証の４：”東芝LED　 Lighting Vol.8　正誤表“，［online］，平成２３年３月８日（作成日），東芝ライテック株式会社，［令和２年４月２０日検索／出力］，インターネット
甲第１０’号証の５：”プレスリリース“，[online]，平成２２年１１月２４日（作成日），東芝ライテック株式会社，［令和２年４月２０日検索／出力］，インターネット，URL:https://www.tlt.co.jp/tlt/press_release/p101124/p101124.htm
には，次の記載がある（以下，甲第１０’号証の１〜５をまとめて「甲第１０’号証」ともいう。）
ａ．甲第１０’号証の１（第４　２．の引用文献３の記載事項を参照のこと) 
ｂ．甲第１０’号証の２（第４　２．の引用文献４の記載事項を参照のこと)
ｃ．甲第１０’号証の３
中段の2010/12/9の欄には「２．『カタログ正誤のお知らせ』に東芝 LED Lighting Vol.8正誤表」を掲載しました。（個人のお客様，ビジネスのお客様）」と記載されている。
ｄ．甲第１０’号証の４
甲第１０’号証の４は，甲第１０号証の３における2010-12-9欄の「２．『カタログ正誤のお知らせ』」に掲載された「東芝 LED Lighting Vol.8正誤表」である。
e．甲第１０’号証の５
1) 第２頁「３．調色・調光でシーンに合わせてあかりを演出」欄には，「・・・常夜灯にもLEDを採用しており，６段階の調光・・・が可能です。」と記載されている。
2) 同頁下欄の[おやすみタイマー]欄には，「・・・最後の5分までに電球色へ色が変化し，ここちよいおやすみを演出します。」と記載されている。
（サ）甲第１１’号証
　甲第１１’号証（特開２００９−７６３２６号公報）には，次の記載がある。
・「【００４８】
　また，上述のカバー部材３は，透光性材料（例えば，アクリル樹脂，ガラスなど）の成形品により構成されており，器具本体１００のモジュール取付部１０２の前面側において回路基板４から離間して配置される前板部３ａと，前板部３ａの周縁からモジュール取付部１０２の前面側へ連続一体に突出した円環状の側板部３ｂとを備えている。なお，カバー部材３は，器具本体１００のモジュール取付部１０２に取付ねじ（図示せず）を用いて取り付けられている。また，カバー部材３は，上述の前板部３ａに各レンズ部３０１が連続一体に形成されており，各レンズ部３０１が各発光装置１の光軸に一致する形で配置されている。」
・図１には，以下の内容が示されている。
・図１には，略サークル状であって，幅方向に形成された前板部３ａ（平坦部）を有するカバー部材３（拡散部材）が示されている。
・上記記載及び図面を参照すると，甲第１１’号証には，略サークル状であって，幅方向に形成された前板部３ａ（平坦部）を有し，絶縁性を有するカバー部材３（拡散部材）が記載されている。
（シ）甲第１２’号証
　甲第１２’号証（特開２００３−１３２７０８号公報）には，次の記載がある。
・「【００２７】上記のＬＥＤ照明装置では，第一のカバー及び第二のカバーのいずれもが，透明な部材と，透明な部材の外面又は内面のいずれかに密着して配置された上記の不透明度及び白色度のフィルムと，を有していても良い。この構成では，カバーの透明な部材が例えばガラス又はアクリル等から成り，所定の形状を保つ程度の剛性を有する。一方，カバーの表面のフィルムがＬＥＤの光を十分に散乱させる。こうして，所定の不透明度及び白色度のカバーを所定の形状に容易に形成できる。」
・「【００２９】上記のＬＥＤ照明装置は，上記の不透明度及び白色度のフィルムから成り，三原色ＬＥＤのそれぞれの表面を覆う複数のキャップを，第一のカバーとして有しても良い。キャップを構成するフィルムは好ましくはシリコンゴムから成り，所定の厚みを有し，かつ所定の拡散材を所定の割合で含む。それにより，キャップは所定の不透明度及び白色度を持ち，三原色ＬＥＤからの光を十分に透過させ，かつ十分に広い範囲へ一様に拡散する。それらのキャップを透過した光が更に第二のカバーで拡散される。その結果，上記のＬＥＤ照明装置では第二のカバーの外面が一様にムラなく発光する。更に，第一のカバーが透明な部材を含む場合と比べ，三原色ＬＥＤの表面から第一のカバーの内面までの距離が実質的に0に等しいので，三原色ＬＥＤの表面から第二のカバーの内面までの距離を短縮できる。それにより，ＬＥＤ照明装置全体のサイズを小型化できる。」
・上記記載を参照すると，甲第１２号証には，絶縁性を有する第二のカバー及び第一のカバーが記載されている。
（ス）甲第１３’号証
　甲第１３号証（特開２０１０−３６８３号公報）には，次の記載がある。
・「【００３６】
　主カバー体１０ａ，補助カバー体１０ｂ，第１キャップ体１７及び第２キャップ体１８はいずれも合成樹脂製であり，主カバー体１０ａと補助カバー体１０ｂとは押し出し成形品を使用している。主カバー体１０ａはＬＥＤ１２の光が透過する必要があるので透光性を有する樹脂で製造されており，ＬＥＤ１２を外部から視認できないように乳白色が好ましい。敢えて述べるまでもないが，ＬＥＤ１２はダイオードチップを透光材で封止した構造になっている。」
・「【００６３】
　図４（ｄ）に示す第５実施形態では，カバー部材１０にフランジ状の取付部３５を設けて，この取付け部３５を壁面部４０や天井部等に固定するようにしている。照明灯１は，第１実施形態で示した照明装置２の基部２ａに直接固定することも可能である。」
・「【００７０】
　図５（ｂ）に示すように，主カバー体１５と補助カバー体１６とは略Ｕ字状（或いは半円状）の断面形状であり，開口端を互いに重ね合わせることで全体として中空の形態を成している。
　そして，主カバー体１０ａと補助カバー体１０ｂとの重なり合う部分に嵌合溝３１ａが形成されている。主カバー体１０ａと補助カバー体１０ｂとは射出成形法で製造されていて，互いに嵌り合うことで位置決めされている。」
・「【００７３】
　ここでは，図５（ｂ）に示すように，主カバー体１０ａと光源ユニット１３との間には湾曲した断面形状の拡散板２５が配置されていて，拡散板２５の両側縁も光源ユニット１３と重なった状態で嵌合溝３１ａに嵌まっている。なお，拡散板２５は，予め主カバー体１０ａの曲面部１５に密着させておいたり，主カバー体１０ａの内周面に二色成形法等にて一体的に形成しておいたりしてもよい。」 
・図５（ｂ）には，以下の内容が示されている。
　
　図５（ｂ）には，略サークル状であって，幅方向に形成された平坦部を有する拡散板２５（拡散部材）が図示されている。
・上記記載及び図面を参照すると，甲第１３号証には，略サークル状であって，幅方向に形成された平坦部を有し，絶縁性を有する拡散板（拡散部材）及びカバー部材が記載されている。
（セ）甲第１４’号証
　甲第１４’号証（特開２００９−１９９８６３号公報）には，次の記載がある。
・「【０００８】
本発明は上記背景技術に鑑みてなされたものであり，その課題は，熱を持たない，電力消費量が少ない，寿命が長い等のＬＥＤの特長を生かしつつ，ＬＥＤから離れても照度が急激に落ちてしまうことがなく，ＬＥＤの照射方向から角度的にずれても照度が急激に落ちてしまうことのない「複数のＬＥＤ構造体が並置された照明器具」を提供することにある。
【０００９】
　本発明者は，上記の課題を解決すべく鋭意検討を重ねた結果，個々のＬＥＤの前方に凸レンズの効果を有する光透過体を設けると，設けないものと比較して，遠くまで照度が落ちず，また斜めの方向でも照度が落ちないことを見出した。そして，このような光透過体が設けられたＬＥＤ構造体を複数個並置することによって，汎用の蛍光灯を代替するものになり得ることを確認し本発明を完成するに至った。」
・「【００２６】
　光透過体１２の材質は特に限定はなく，ガラス，石英等の無機物；（メタ）アクリル系樹脂，スチレン系樹脂，塩化ビニル系樹脂等のビニル系樹脂；ポリエステル系樹脂；ポリカーボネート系樹脂等の有機高分子化合物等の何れでもよい。光透過体１２の材質は，光学特性，強度，耐久性，コスト，加工性等を考慮して選択される。」
・図６（ｃ）には，以下の内容が示されている。
　【図６】
・図６（ｃ）には，幅方向に形成された平坦部を有する光透過体１２及び光透過カバー２２が図示されている。
・上記記載及び図面を参照すると，甲第１４号証には，幅方向に形成された平坦部を有し，絶縁性を有する光透過体１２及び光透過カバー２２が記載されている。
（ソ）甲第１５’号証
　甲第１５’号証（ＬＥＤ照明ハンドブック）は，平成１９年（２００７年）１２月１０日（第１版，平成１８年７月１日）に株式会社オーム社が発行した「ＬＥＤ照明ハンドブック（第１版第４刷）」と題する刊行物である。
・「３（注：○に３）『漏電・充電部の露出』に関しては，人が触れる恐れのあるAC30V，DC45Vを超える充電部露出や人が触れる恐れのある非金属部／アースするおそれのある非充電金属部と充電部との間における絶縁抵抗の低下等の“安全でない現象”をいう。」（第１１１頁第１７〜２０行）
・「３（注：○に３）『漏電・充電部の露出』に関しては，以下の内容を配慮する。
・工具等を用いずに取りはずせる外郭は，取りはずし後に充電部露出がないようにする。
・指・ピン等で挿入できる開口部がある場合，充電部に接触できない構造とする。
・破損・変形の恐れがある外郭については，充電部との接触しない構造とする。
・差込口がある場合，適用プラグをどのような形で差し込んでも充電部の短絡が生じないようにする。」（第１１２頁第１７〜２５行）
・「3.4.3　法令
　白色LEDは，低電圧の直流電源で動作する新しい発光素子である。素子そのものの感電，火災，人体への影響といった安全に関わる直接的な法令上の規制は見当たらない。素子を複数個まとめた”照らす明かり”，”見せる明かり”としての照明用モジュール，照明器具や内部部品として組み込んでいる機械器具は法令上の規制を受ける。・・・
（1）電気用品安全法・・・」（第１１３頁第１０〜１７行）
・「充電部　接地側との間で電気エネルギーが蓄えられた電極部（電気回路等で接地側と絶縁された異極電圧部分）。」（第１７３頁第３段目）
・上記記載より，照明器具において，人が触れる恐れがある部材は，絶縁性を有さなければならないことが法定されている。
イ．甲１’発明を主引用発明とする２９条２項について
（ア）発明の対比
a.　本件発明と甲１’発明とを対比すると，後者の「筐体１００」は前者の「本体」に相当し，以下同様に，「ＬＥＤ発光装置３０」は「発光素子」に，「実装基板１３０」は「基板」に，「制御回路用の各種電子部品１２１」は「点灯装置」に，「ポリカーボネート樹脂製」は「絶縁性を有する」部材に，「光拡散シート１５０」は「拡散部材」に，「カバー１７０」は「カバー部材」に，「ＬＥＤ照明装置」は「照明器具」に，それぞれ相当する。
ｂ．後者の「主光源として発光色が昼白色の複数のＬＥＤ発光装置３０及び主光源として発光色が電球色の複数のＬＥＤ発光装置３０が実装された環状の実装基板１３０」と，前者の「主光源としての発光色が昼白色である複数の発光素子と，主光源としての発光色が電球色である複数の発光素子と，発光色が電球色の常夜灯用の発光素子とが実装された環状の基板」とは，「主光源として発光色が昼白色である複数の発光素子と，主光源として発光色が電球色である複数の発光素子が実装された環状の基板」において共通する。
ｃ．後者の「前記ＬＥＤ発光装置３０の制御回路用の各種電子部品１２１」は，前者の「前記発光素子を点灯制御する点灯装置」に相当する。
ｄ．後者の「略サークル状であって，ＬＥＤ発光装置３０に対向するとともに，対向するＬＥＤ発光装置３０が出射する複数した光を拡散するとともに，前記複数の主光源としてのＬＥＤ発光装置３０が実装された環状の実装基板１３０を前面側から覆うポリカーボネート樹脂製の光拡散シート１５０」と，前者の「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材」とは，「略サークル状であって，前記主光源としての発光素子に対向し，対向する発光素子が出射した光を拡散するとともに，前記複数の主光源としての発光素子が実装された環状の基板を前面側から覆う絶縁性を有する拡散部材」において共通する。
ｅ．後者の「半透明の白色樹脂からなり光を拡散し，筐体１００の収容部１１０，環状の実装基板１３０，制御回路用の各種電子部品１２１，前記光拡散シート１５０，リフレクタ板１４０，レンズ板１６０とを前面側から覆う，カバー１７０」と，前者の「拡散性を備え，前記本体と，前記基板と，前記点灯装置と，前記拡散部材とを前記前面側から覆うカバー部材」とは，「拡散性を備え，前記本体の一部と，前記基板と，前記点灯装置と，前記拡散部材とを前記前面側から覆うカバー部材」において共通する。
　そうすると，両者は，
「本体と，
　主光源として発光色が昼白色である複数の発光素子と，主光源として発光色が電球色である複数の発光素子が実装された環状の基板と，
　略サークル状であって，前記主光源としての発光素子に対向し，対向する発光素子が出射した光を拡散するとともに，前記複数の主光源としての発光素子が実装された環状の基板を全面側から覆う絶縁性を有する拡散部材と，
　拡散性を備え，前記本体の一部と，前記基板と，前記点灯装置と，前記拡散部材とを前記前面側から覆うカバー部材と，
　を具備する，照明器具。」
において一致し，以下の各点において相違すると認められる。
＜相違点１＞
　本体に関して，本件発明では，「略中心部分に天井に配置された引掛けシーリングボディに接続されるアダプタを備える本体」であるのに対して，甲１’発明では，「筐体１００」である点。
＜相違点２＞
　主光源として発光色が昼白色である複数の発光素子と，主光源として発光色が電球色である複数の発光素子が実装された環状の基板に関して，基板に，本件発明では，さらに，「発光色が電球色の常夜灯用の発光素子とが実装され」ているのに対して，甲１’発明では，そのような特定はない点     
＜相違点３＞
　拡散部材に関して，本件発明では，略サークル状であって，前記主光源としての発光素子に対向し，対向する発光素子が出射した光を「少なくとも幅方向に拡散する突条部を有するとともに，当該突条部から前記幅方向に形成された平坦部を有し，」前記複数の主光源としての発光素子「及び常夜灯用の発光素子が実装された」環状の基板「の表面の全面を」前面側から覆う絶縁性を有する拡散部材であるのに対して，「略サークル状であって，ＬＥＤ発光装置３０に対向するとともに，対向するＬＥＤ発光装置３０が出射する複数した光を拡散するとともに，前記複数の主光源としてのＬＥＤ発光装置３０が実装された環状の実装基板１３０を前面側から覆うポリカーボネート樹脂製の光拡散シート１５０」である点。
＜相違点４＞
　カバー部材に関して，本件発明では，拡散性を備え，「前記本体」と，前記基板と，前記点灯装置と，前記拡散部材とを前記前面側から覆うカバー部材であるのに対して，甲１’発明では，「筐体１００の収容部１１０，環状の実装基板１３０，制御回路用の各種電子部品１２１，前記光拡散シート１５０，リフレクタ板１４０，レンズ板１６０とを前面側から覆う，カバー１７０」である点。
（イ）相違点の判断
　事案に鑑み，まず，相違点３について検討する。
　甲第１’号証には，リフレクタ板，光拡散シート及びレンズ板の作用について，段落【００３４】において，「各ＬＥＤ発光装置３０が放射する
光の一部はリフレクタ板５０が形成するリフレクタ面による反射を受けた後，レンズ板７０に向かう
レンズ板７０に入射した光はレンズ効果によってその方向性が調整され，所定の指向性をもつ光としてレンズ板７０から出射する。
　また，甲第１’号証の請求項１の記載を参照すると，リフレクタ板とレンズ板は，発明の特徴箇所であり，必須の構成要件であるといえる。
　一方，甲第９’号証（引用文献５）には，前述したように，「複数列に配列された発光ダイオード（発光素子）を列毎に覆うようなハーフレンズ（突条部）が設けられ，そのハーフレンズ（突条部）に沿った方向に平坦部を有し，発光ダイオード（発光素子）が実装された基板の表面の全体を前面側から覆うPMMA/PC材料（絶縁性を有する）のハーフレンズと平坦部を有する同一型ハーフレンズアレイ組み合わせ構造（拡散部材）」（以下「甲第９’号証に記載された事項」という。）が記載されている。
　そして，相違点３に係る本件発明の発明特定事項とするためには，「複数の主光源としての発光素子及び常夜灯用の発光素子を備えた照明装置」が周知技術であることを考慮して，甲第１’号証における必須の構成要件であるリフレクタ板１４０，レンズ板１６０及びそれらの間に配置された光拡散シート１５０に代えて，上記甲第９’号証に記載された事項を適用する必要があるが，甲第１’号証の必須の構成要件であるリフレクタ板１４０，レンズ板１６０及びそれらの間に配置された光拡散シート１５０を取り払うことには，阻害要因があるといえ，当業者といえども，容易に想到できたとはいえない。
　また，さらに，その余の甲第２’号証〜甲第８’号証，甲第１０’号証〜甲第１５’号証に記載された事項を考慮しても，上記相違点３に係る本件発明の発明特定事項とすることは，当業者が容易に想到できたものではない。
　したがって，その余の相違点について検討するまでもなく，本件発明は，甲１’発明に甲第９’号証に記載された事項，及び， 甲第２’号証〜甲第８’号証，甲第１０’号証〜甲第１５’号証に記載された事項に基いて，当業者が容易に発明をすることができたとはいえない。
ウ．甲２’発明を主引用発明とする２９条２項について
（ア）発明の対比
a.　本件発明と甲２’発明とを対比すると，後者の「本体ケース１１」は前者の「本体」に相当し，以下同様に，「赤色ＬＥＤ６，緑色ＬＥＤ７及び青色ＬＥＤ８」及び「ＬＥＤ」は「発光素子」に，「回転プリント基板４」は「基板」に，「回転プリント基板給電装置５」は「点灯装置」に，「上部カバー９」は「カバー部材」に，「照明用ＬＥＤユニット」は「照明器具」に，それぞれ相当する。
ｂ．後者の「主光源としての発光色が複数の赤色ＬＥＤ６，緑色ＬＥＤ７及び青色ＬＥＤ８が実装された環状の回転プリント基板４」と前者の「主光源としての発光色が昼白色である複数の発光素子と，主光源としての発光色が電球色である複数の発光素子と，発光色が電球色の常夜灯用の発光素子とが実装された環状の基板」とは「主光源としての複数の発光素子が実装された環状の基板」において共通する。
ｃ．後者の「前記赤色ＬＥＤ６，緑色ＬＥＤ７及び青色ＬＥＤ８を点灯制御する回転プリント基板給電装置５」は前者の「前記発光素子を点灯制御する点灯装置」に相当する。
ｄ．後者の「略サークル状であって，前記主光源としてのＬＥＤに対向するとともに，幅方向に形成された平坦部を有し，前記複数の主光源としての発光素子が実装された環状の回転プリント基板４を前面側から覆う上部カバー９であり，本体ケース１１と，前記回転プリント基板給電装置５を前面側から覆う拡散透過性乳白色の上部カバー９」と，前者の「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材と；拡散性を備え，前記本体と，前記基板と，前記点灯装置と，前記拡散部材とを前記前面側から覆うカバー部材」とは，「拡散性を備え，前記本体と，前記基板と，前記点灯装置とを前記前面側から覆うカバー部材」において共通する。
ｅ．そうすると，両者は，
「本体と，
　主光源としての複数の発光素子が実装された環状の基板と，
　前記発光素子を点灯制御する点灯装置と，
　拡散性を備え,前記本体と，前記基板と，前記点灯装置とを前面側から覆うカバー部材と，
　を具備する，照明器具。」
の点で一致し，以下の各点で相違すると認められる。
＜相違点１＞
　本体に関して，本件発明では，「略中心部分に天井に配置された引掛けシーリングボディに接続されるアダプタを備える本体」であるのに対して，甲２’発明では，そのような特定はなされていない点。
＜相違点２＞
　複数の発光素子が実装された環状の基板に関して，複数の発光素子が，本件発明では，主光源としての「発光色が昼白色である」複数の発光素子と，主光源としての発光色が「電球色である」複数の発光素子と，「発光色が電球色の常夜灯用の」発光素子であるのに対して，甲２’発明では，「主光源としての発光色が複数の赤色ＬＥＤ６，緑色ＬＥＤ７及び青色ＬＥＤ８」である点。
＜相違点３＞
　本件発明は，「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材」を「具備する」のに対して，甲２’発明では，「拡散部材」を備えていない点。
＜相違点４＞
　拡散性を備え，前記本体と，前記基板と，前記点灯装置とを前面側から覆うカバー部材に関して，カバー部材が，本件発明では，さらに「拡散部材」をも前面側から覆うのに対して，甲２’発明では，そのような特定はない点。
（イ）相違点の判断
＜相違点２〜４について＞
　甲２’発明は，「主光源としての発光色が複数の赤色ＬＥＤ６，緑色ＬＥＤ７及び青色ＬＥＤ」からなり，それら発光状態を組み合わせて，色調パターンを決めるものであって，発光素子の「発光色」が「昼白色」や「電球色」である本件発明とは，その前提が異なるものである。
　　甲第２’号証の拡散性を備えた「上部カバー９を本件発明を構成しようとすれば，前提の異なる回転プリント基板４のそれぞれの複数の「赤色ＬＥＤ６，緑色ＬＥＤ７及び青色ＬＥＤ」を「発光色が昼白色である」複数の発光素子と，主光源としての発光色が「電球色である」複数の発光素子と，「発光色が電球色の常夜灯用の」発光素子とした上で，それらに対向して突条部を設け，当該突条部の幅方向に平坦部を設けた拡散部材を，回転プリント基板４の表面の全面を覆うようにしなければならないが，甲第９’号証に記載された事項に接した当業者といえども，拡散部材について何ら開示のない甲２’発明に，甲第９’号証に記載された事項を適用しようとはしない。
　また，さらに，その他の甲１’，甲３’から甲８’，甲１０’〜甲１５’に記載された事項を参照しても，甲２’発明を主引用発明として，相違点２から４に係る本件発明の発明特定事項とすることは，当業者が容易に想到できたものではない。
　したがって，その余の相違点について検討するまでもなく，本件発明は，甲２’発明，甲第９’号証に記載された事項及び特許異議申立人梯　京子の提出したその他の証拠に基いて，当業者が容易に発明をすることができたとはいえない。
（２）特許法第３６条第４項第１号
ア．本件発明は「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材」を発明特定事項としており，「突条部」が「拡散部材」に含まれることが明らかとなった。
イ．略サークル状である拡散部材における幅方向は，どの方向を意味するのか明らかでない旨特許異議申立人は主張するが，略サークル状の部材において幅方向とは，放射（半径）方向であることは，図３，図５，図７等からして明らかである。
ウ．したがって，発明の詳細な説明の記載は，不明瞭ではなく，本件発明を実施できる程度に明確かつ十分に記載されているといえる。
　よって，特許異議申立人梯　京子の主張する特許法第３６条第４項第１号を要件とする取消理由は成り立たない。
（３）特許法第３６条第６項第１号
　異議申立人は，課題解決に必須となる「突条部」を規定していない請求項１の発明は，発明の詳細な説明に記載したものとはいえない旨主張する。
　本件発明の「拡散部材」は「突条部」を含むものとなったため，特許法第３６条第６項第１号を要件とする取消理由は成り立たない。
（４）特許法第３６条第６項第２号
 　異議申立人は，「幅方向に形成された平坦部」について，何に対して幅方向といっているのか，幅方向はどの方向であるのか不明である旨主張する。
　しかしながら，本件発明は，「略サークル状であって，前記主光源としての発光素子に対向し，対向する発光素子が出射した光を少なくとも幅方向に拡散する突条部を有するとともに，当該突条部から前記幅方向に形成された平坦部を有し，前記複数の主光源としての発光素子及び常夜灯用の発光素子が実装された環状の基板の表面の全面を前面側から覆う絶縁性を有する拡散部材」を発明特定事項としており，突条部から幅方向に形成されたことが，明らかとなり，また，幅方向は，前述したように，放射（半径）方向であることは，図３，図５，図７等からして明らかである。
　したがって，本件発明は，明確であるから，特許異議申立人梯　京子の主張する特許法第３６条第６項第２号を要件とする取消理由は成り立たない。
第６　むすび
　以上のとおりであるから，取消理由通知に記載した取消理由及び特許異議申立書に記載した特許異議申立理由によっては，本件発明に係る特許を取り消すことはできない。
　また，他に本件発明に係る特許を取り消すべき理由を発見しない。
　よって，結論のとおり決定する。
【異議決定日】
令和３年１月２８日（２０２１．１．２８）
【訂正の要旨】
審決（決定）の【理由】欄参照。
（５４）【発明の名称】
照明器具
　【技術分野】
　【０００１】
　本発明の実施形態は、光源としてＬＥＤ等の発光素子を用いた照明器具に関する。
　【背景技術】
　【０００２】
　一般住宅用の照明器具においては、主光源に環状の蛍光ランプを用い、この環状の蛍光ランプの下方側を覆うようにカバー部材（セード）を設けて、外観形状を丸形に構成するものが普及している。
　【０００３】
　一方、近時、ＬＥＤ等の発光素子の高出力化、高効率化及び普及化に伴い、光源として発光素子を用いて長寿命化が期待できる照明器具が開発されている。光源として発光素子を用いて、従来のように環状の蛍光ランプを用いた照明器具と同様な態様で照明器具を構成するには、例えば、天井面に設置された引掛けシーリングボディへの取付部の周囲に複数の発光素子を配置し、これら発光素子から出射される光を直下方向の所定の範囲に照射させる必要がある。
　【０００４】
　このように光源として複数の発光素子を取付部の周囲に配置した場合には、従来の環状の蛍光ランプを用いた場合と同様な態様で構成でき、また、長寿命化や薄型化が期待できる照明器具を実現することができる。
　【先行技術文献】
　【非特許文献】
　【０００５】
　【非特許文献１】シャープ／ＬＥＤシーリングライト［平成２３年１月６日検索］（ｈｔｔｐ：／／ｗｗｗ．ｓｈａｒｐ．ｃｏ．ｊｐ／ｃｏｒｐｏｒａｔｅ／ｎｅｗｓ／１００８１９−ａ−２．ｈｔｍｌ）
　【発明の概要】
　【発明が解決しようとする課題】
　【０００６】
　しかしながら、光源としてＬＥＤ等の発光素子を用いると、発光素子はその出射光の指向性が強く輝度が高いため、粒々感が目立ち、輝度が均一化されにくく、照射光の均斉度が低下するという問題が生じる。
　【０００７】
　本発明は、上記課題に鑑みなされたもので、照射光の均斉度の向上を図ることが可能な照明器具を提供することを目的とする。
　【課題を解決するための手段】
　【０００８】
　本発明の実施形態による照明器具は
、略中心部分に天井に配置された引掛けシーリングボディに接続されるアダプタを備える本体と、
が昼白色である複数の発光素子と、主光源としての発光色が電球色である複数の
と、
と
し、対向する発光素子が出射した光を少なくとも幅方向に拡散する突条部を有する
当該突条部から前記
の全面
拡散性を備え、前記本体と、前記基板と、前記点灯装置と、前記拡散部材とを前記前面側から覆うカバー部材と；
　【発明の効果】
　【０００９】
　本発明の実施形態によれば、照射光の均斉度の向上を図ることが可能な照明器具を提供することができる。
　【図面の簡単な説明】
　【００１０】
　【図１】本発明の実施形態に係る照明器具を示す斜視図である。
　【図２】同照明器具を示す分解斜視図である。
　【図３】同照明器具においてカバー部材及び点灯装置カバーを取外して下方から見て
示す概略の平面図である。
　【図４】同照明器具を示す断面図である。
　【図５】図４中、Ａ部を示す拡大図である。
　【図６】同照明器具における１枚の基板を取り出して示す平面図である。
　【図７】同照明器具における光源部と拡散部材とを組み合わせた状態で一部拡大して
示す断面図である。
　【発明を実施するための形態】
　【００１１】
　以下、本発明の実施形態について図１乃至図７を参照して説明する。各図においてリード線等による配線接続関係は省略して示している場合がある。なお、同一部分には同一符号を付し、重複した説明は省略する。
　【００１２】
　本実施形態の照明器具は、器具取付面に設置された配線器具としての引掛けシーリングボディに取付けられて使用される一般住宅用のものであり、基板に実装された複数の発光素子を有する光源部から放射される光によって室内の照明を行うものである。
　【００１３】
　図１乃至図４において、照明器具は、本体１と、光源部２と、拡散部材３と、点灯装置４と、点灯装置カバー５と、取付部６と、カバー部材７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
　【００１４】
　図２乃至図５に示すように、本体１は、冷間圧延鋼板等の金属材料の平板から円形状に形成されたシャーシであり、略中央部に、後述する取付部６を配設するための円形状の開口１１が形成されている。また、光源部２が取付けられる内面側の平坦部１２の外周側には、背面側へ向かう段差部１３が形成されて樋状の凹部１４が形成されている。さらに、本体１の背面側には、弾性部材１５が設けられている。
　【００１５】
　光源部２は、図６の参照を加えて説明するように、基板２１と、この基板２１に実装された複数の発光素子２２とを備えている（図２においては発光素子２２の図示を省略している）。基板２１は、所定の幅寸法を有した円弧状の４枚の基板２１が繋ぎ合わされるように配設されて全体として略サークル状に形成されている。つまり、全体とし略サークル状に形成された基板２１は、４枚の分割された基板２１から構成されている。
　【００１６】
　このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
　【００１７】
　基板２１は、絶縁材であるガラスエポキシ樹脂（ＦＲ−４）の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたベース板の一面に絶縁層が積層された金属製のベース基板を適用できる。
　【００１８】
　発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色のものと電球色のものとが用いられており、これらが交互に並べられていて、各列の隣接する発光素子２２は略等間隔を空けて配設されている。この昼白色と電球色のＬＥＤパッケージに流れる電流等を調整することにより調色が可能となっている。
　【００１９】
　なお、特定の基板２１（図３中、右側）には、常夜灯用の発光素子２２ａが実装されている。この発光素子２２ａには、サークル状に実装された主光源における電球色のものと同じＬＥＤパッケージが用いられている。これにより部材の共通化が図られている。
　【００２０】
　なお、発光素子２２は、必ずしも複数列に実装する必要はない。例えば、周方向に沿って１列に実装するようにしてもよい。所望する出力に応じて発光素子２２の列数や個数を適宜設定することができる。
　【００２１】
　ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
　【００２２】
　なお、ＬＥＤは、ＬＥＤチップを直接基板２１に実装するようにしてもよく、また、砲弾型のＬＥＤを実装するようにしてもよく、実装方式や形式は、格別限定されるものではない。
　【００２３】
　拡散部材３は、レンズ部材であり、図７の参照を加えて説明するように、例えば、ポリカーボネートやアクリル樹脂等の絶縁性を有する透明合成樹脂からなり、強化絶縁性能を有している。そして、前記発光素子２２の配置に沿って略サークル状に一体的に形成されていて、発光素子２２を含めて基板２１の全面を覆うように配設されている。
　【００２４】
　また、レンズ部材は、図５及び図７に代表して示すように、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
　【００２５】
　さらに、これら突条部３１からは幅方向に延出する平坦部３３が形成されており、これにより基板２１の全面が覆われるようになっている。
　【００２６】
　このように構成されたレンズ部材によれば、図５に示すように複数の発光素子２２から出射された光は、突条部３１によって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
　【００２７】
　したがって、レンズ部材によって複数の発光素子２２から出射される光による照射光の均斉度を向上することが可能となる。さらに、各発光素子２２の輝度による粒々感を抑制することができる。この場合、拡散による配光角度を１２０度〜１６０度程度に設定するのが望ましい。
　【００２８】
　また、拡散部材３には、平坦部３３が形成されて基板２１の全面を覆うようになっているので、充電部が強化絶縁性能を有する拡散部材３によって覆われ保護される。
　【００２９】
　なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
　【００３０】
　また、拡散部材３は、レンズ部材に限らず、拡散シート等を適用するようにしてもよい。
　【００３１】
　上記のように構成された光源部２は、図４及び図５に代表して示すように、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間挟み込まれて押圧固定されるようになっている。つまり、１本のねじＳによって基板２１と拡散部材３とが共締めされている。
　【００３２】
　したがって、基板２１は、本体１と熱的に結合され、基板２１からの熱が裏面側から本体１に伝導され放熱されるようになっている。なお、基板２１と本体１との面接触は、基板２１の全面が本体１に接触する場合に限らない。部分的な面接触であってもよい。
　【００３３】
　加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
　【００３４】
　点灯装置４は、図２乃至図４に示すように、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に続されて、アダプタＡを介して商用交流電源に接続されている。したがって、点灯装置４は、この交流電源を受けて直流出力を生成し、リード線を介してその直流出力を発光素子２２に供給し、発光素子２２を点灯制御するようになっている。
　【００３５】
　このような点灯装置４は、取付部６と光源部２、すなわち、基板２１との間に配設されている。
　【００３６】
　点灯装置カバー５は、図２及び図４に示すように、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部５４が形成されている。
　【００３７】
　取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
　【００３８】
　なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
　【００３９】
　カバー部材７は、アクリル樹脂等の透光性を有し、乳白色を呈する拡散性を備えた材料から略円形状に形成されており、中央部には不透光性の円形状の化粧カバー７１が取付けられている。また、この化粧カバー７１には、前記電気的補助部品６２と対向するように略三角形状の透光性を有する受光窓７２が形成されている。さらに、カバー部材７の内面側の中央寄りには、内面方向に突出する突出ピン７３が形成されている。
　【００４０】
　そして、カバー部材７は、光源部２を含めた本体１の前面側を覆うように本体１の外周縁部に着脱可能に取付けられるようになっている。具体的には、カバー部材７を回動することによって、カバー部材７に設けられた図示しないカバー取付金具を本体１の外周縁部の凹部１４に配設されたカバー受金具７５に係合することにより取付けられる。
　【００４１】
　このようにカバー部材７が本体１に取付けられた状態においては、主として図４に示すように、カバー部材７の内面側は、点灯装置カバー５の前面壁５２に面接触するようになる。したがって、点灯装置４等から発生する熱を点灯装置カバー５へ伝導し、さらにカバー部材７へ伝導させて放熱を促進することが可能となる。
　【００４２】
　また、拡散部材３とカバー部材７との間の距離は、２０〜６０ｍｍ、好ましくは３０〜５０ｍｍに設定されている。これにより、照射光の均斉度が良好となり、基板２１の実装面側から拡散部材３に伝導された熱がカバー部材７を経由して効果的に放熱されるようになる。
　【００４３】
　ここで、カバー部材７は、回動させて本体１に取付けられるが、受光窓７２の位置を電気的補助部品６２と対向するように位置合わせをする必要がある。このため、本実施形態においては、詳細な説明は省略するが、カバー部材７側に形成された突出ピン７３と点灯装置カバー５に形成されたガイド凹部５４とによって位置規制手段が構成されている。この位置規制手段によって受光窓７２が電気的補助部品６２と対向して位置されるようになり、例えば、赤外線リモコン信号受信部が赤外線リモコン送信器からの制御信号を受信できるようになる。
　【００４４】
　アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ１が、内蔵されたスプリングによって常時外周側へ突出するように設けられている。この係止部Ａ１は下面側に設けられたレバーを操作することにより没入するようになっている。
　【００４５】
　また、このアダプタＡからは、前記点灯装置４へ接続する電源コードが導出されていて、点灯装置４とコネクタを介して接続されるようになっている（図３参照）。
　【００４６】
　次に、照明器具の天井面Ｃへの取付状態について図４を参照して説明する。まず、予め天井面Ｃに設置されている引掛けシーリングボディＣｂにアダプタＡが電気的かつ機械的に接続されている。この状態から取付部６としてのアダプタガイドの係合口６１をアダプタＡに合わせながら、アダプタＡの係止部Ａ１がアダプタガイドの係合口６１に確実に係合するまで器具本体を下方から手で押し上げて取付け操作を行う。そして、カバー部材７を本体１に取付ける。この取付完了状態が図４に示す状態であり、このとき、弾性部材１５が天井面Ｃと本体１の背面側との間に密着状態で介在され、照明器具は、天井面Ｃに固定状態となる。
　【００４７】
　また、照明器具を取外す場合には、カバー部材７を取外し、アダプタＡに設けられているレバーを操作してアダプタＡの係止部Ａ１の係合を解くことにより取外すことができる。
　【００４８】
　照明器具の天井面Ｃへの取付状態において、点灯装置４に電力が供給されると、基板２１を介して発光素子２２に通電され、各発光素子２２が点灯する。発光素子２２から出射された光は、複数の発光素子２２を連続して覆う拡散部材３によって半径方向へ拡散されるとともに、前面側へ放射される。前面側へ放射された光は、カバー部材７を透過して外方へ照射される。したがって、照射光の均斉度の向上を図ることができるとともに、各発光素子２２の輝度による粒々感を抑制することが可能となる。
　【００４９】
　また、半径方向の内周側へ向かう一部の光は、点灯装置カバー５における傾斜状の側壁５１によって前面側に反射され有効に利用されるようになる。
　【００５０】
　一方、発光素子２２から発生する熱は、基板２１の裏面側が本体１に面接触しているため、本体１に効果的に伝導され、広い面積で放熱されるようになる。また、基板２１の外周側近傍には、基板２１の外周に沿って段差部１３が形成されているため、この段差部１３によって放熱面積を増大させることができ、本体１外周部での放熱効果を高めることが可能となる。加えて、この段差部１３は、本体１の補強効果を奏することができるものとなっている。
　【００５１】
　また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
　【００５２】
　さらに、カバー部材７は、点灯装置カバー５に面接触するようになっているので、点灯装置４から発生する熱を点灯装置カバー５へ伝導し、さらにカバー部材７へ伝導させて放熱をさせることができる。
　【００５３】
　加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の全面を覆うようになっているので充電部が保護されるようになる。
　【００５４】
　以上のように本実施形態によれば、照射光の均斉度の向上を図ることが可能な照明器具を提供することができる。
　【００５５】
　なお、本発明は、上記各実施形態の構成に限定されることなく、発明の要旨を逸脱しない範囲で種々の変形が可能である。例えば、発光素子は、ＬＥＤや有機ＥＬ等の固体発光素子が適用でき、この場合、発光素子の個数は特段限定されるものではない。
　【符号の説明】
　【００５６】
１・・・本体、２・・・光源部、３・・・拡散部材（レンズ部材）、４・・・点灯装置、５・・・点灯装置カバー、６・・・取付部（アダプタガイド）、７・・・カバー部材、１３・・・段差部、２１・・・基板、２２・・・発光素子（ＬＥＤ）、３１・・・突条部、３３・・・平坦部、Ａ・・・アダプタ、Ｃ・・・器具取付面（天井面）、Ｃｂ・・・配線器具（引掛けシーリングボディ）
（５７）【特許請求の範囲】
　【請求項１】
　
略中心部分に天井に配置された引掛けシーリングボディに接続されるアダプタを備える本体と；
　主光源としての発光色
が昼白色である複数の発光素子と、主光源としての発光色が電球色である複数の
と、
と
　前記発光素子を点灯制御する点灯装置と；
　略サークル状であって、前記主光源としての発光素子に対向
し、対向する発光素子が出射した光を少なくとも幅方向に拡散する突条部を有する
当該突条部から前記
の全面
　
拡散性を備え、前記本体と、前記基板と、前記点灯装置と、前記拡散部材とを前記前面側から覆うカバー部材と；
　を具備することを特徴とする照明器具。